(57)【要約】【課題】使用状態での変形を抑制しつつ、簡単且つコンパクトに廃棄できる包装箱を提供する。【解決手段】正面部５、背面部６及び一対の側面部７，８を有する周壁部４と、周壁部４の一端側の開口端部を塞ぐ第１端面部１０と、周壁部４の他方側の開口端部を塞ぐ第２端面部２０と、を備えた包装箱１において、周壁部４の一対の側面部７，８には、その各表面の第１方向Ｘの中央部における第３方向Ｚの全長の一部に凹状又は凸状の側面トリガ部４１，４２が設けられ、第２端面部２０には、その表面における第１方向Ｘの中央部にける第２方向Ｙの全長の一部に凹状又は凸状の端面トリガ部６０が設けられる。【選択図】図１
2018016324.tif 000002
【特許請求の範囲】
【請求項１】
第１方向に対向する正面部及び背面部、並びに、前記第１方向に直角な第２方向に対向する一対の側面部を有する周壁部と、
前記第１方向及び前記第２方向に直角な第３方向の一端側において前記周壁部の開口端部を塞ぐ第１端面部と、
前記第３方向の他端側において前記周壁部の開口端部を塞ぐ第２端面部と、を備えた包装箱であって、
前記一対の側面部の各表面における前記第１方向の中央部において、前記第３方向の全長の一部に凹状又は凸状の側面トリガ部が設けられ、
前記第２端面部の表面における前記第１方向の中央部において、前記第２方向の全長の一部に凹状又は凸状の端面トリガ部が設けられていることを特徴とする包装箱。
【請求項２】
前記側面トリガ部は、前記第３方向において相互に間隔を空けて配置され且つそれぞれ前記第３方向に延びるように形成された第１及び第２側面トリガ部を有し、
前記一対の側面部の各表面において、前記第３方向の中央部を挟んだ一方側に前記第１側面トリガ部が配置され、他方側に前記第２側面トリガ部が配置されていることを特徴とする請求項１に記載の包装箱。
【請求項３】
前記一対の側面部の各表面における前記第１側面トリガ部と前記第２側面トリガ部との間の部分に、前記第１方向に延びる凹状又は凸状の屈曲抑制部が設けられていることを特徴とする請求項２に記載の包装箱。
【請求項４】
前記屈曲抑制部は、前記一対の側面部の各表面における前記第３方向の中央部を挟んだ一方側及び他方側のそれぞれに設けられていることを特徴とする請求項３に記載の包装箱。
【請求項５】
前記第１端面部及び前記第２端面部のうち第１端面部側のみに、前記周壁部の開口端部を開放するための切取線が設けられていることを特徴とする請求項１から請求項４のいずれか１項に記載の包装箱。
【請求項６】
前記端面トリガ部は、前記第２端面部の表面における前記第２方向の一端と中央との間の部分から他端と中央との間の部分にかけて前記第２方向に沿って直線状に延びるように形成されていることを特徴とする請求項１から請求項５のいずれか１項に記載の包装箱。
【請求項７】
前記端面トリガ部は、前記第２端面部の表面における前記第２方向の一端と中央との間の部分から前記第２方向の一端側に向かってＶ字状に拡がるように延びる第１端面トリガ部と、前記第２端面部の表面における前記第２方向の他端と中央との間の部分から前記第２方向の他端側に向かってＶ字状に拡がるように延びる第２端面トリガ部とを有することを特徴とする請求項１から請求項５のいずれか１項に記載の包装箱。
【請求項８】
前記第２端面部は、前記正面部又は前記背面部のいずれか一方における前記第３方向の端部に連なる内蓋と、前記正面部又は前記背面部のいずれか他方における前記第３方向の端部に連なる外蓋とを有し、
前記外蓋に、前記端面トリガ部が設けられ、
前記内蓋における前記端面トリガ部に重なる部分に、前記第２方向に延びるミシン目状の切り込み又は直線状のハーフカットが形成されていることを特徴とする請求項１から請求項７のいずれか１項に記載の包装箱。
【請求項９】
前記内蓋は、前記第１方向における前記切り込み又は前記ハーフカットよりも基端側の部分のみにおいて前記外蓋に接着されていることを特徴とする請求項８に記載の包装箱。
【請求項１０】
前記第１端面部と前記第２端面部は、前記一対の側面部の前記第３方向の端部に連なる一対のサイドフラップと、該一対のサイドフラップの外側に重ねられる蓋とをそれぞれ有し、
前記サイドフラップのそれぞれには、前記第１端面部及び前記第２端面部における前記第１方向の中央部において前記第２方向に延びるミシン目状の切り込み又は直線状のハーフカットが形成されていることを特徴とする請求項１から請求項９のいずれか１項に記載の包装箱。
【請求項１１】
前記一対の側面部の各表面における前記第２端面部の前記サイドフラップとの境界に隣接する部分に、前記第１方向の中央部から前記第３方向の前記第２端面部側に向かってＶ字状に拡がるように延びる凹状又は凸状の屈曲促進部が設けられていることを特徴とする請求項１０に記載の包装箱。
【発明の詳細な説明】
【技術分野】
【０００１】
本発明は、開封されて内容物が取り出された後に、折り畳まれた状態で廃棄される包装箱に関する。
【背景技術】
【０００２】
正面部、背面部及び一対の側面部からなる角筒状の周壁部と、該周壁部の開口端面を塞ぐ一対の端面部とを有する包装箱の種類として、シールエンドカートン及びタックエンドカートン等が知られている。
【０００３】
例えば、シールエンドカートンの各端面部は、側面部に連なる一対のサイドフラップ、正面部又は背面部のいずれか一方に連なる内蓋、及び、正面部又は背面部のいずれか他方に連なる外蓋で構成され、一対のサイドフラップの外側に内蓋と外蓋が順に重ねられ、内蓋の外側の面に外蓋が接着されることで、端面部が封止される。
【０００４】
また、タックエンドカートンの各端面部は、側面部に連なる一対のサイドフラップ、及び、正面部又は背面部のいずれか一方に連なる蓋で構成され、一対のサイドフラップの外側に蓋が重ねられ、蓋の先端に設けられた差込片が周壁部の内側に差し込まれることで、蓋が閉じられる。各蓋の差込片は周壁部に接着されることがあり、これにより、タックエンドカートンの両端面部が封止される。
【０００５】
これらの包装箱の上端側には開封用の切取線が設けられることがあり、この場合、該切取線に沿って蓋を正面部又は背面部から切り離すことで、包装箱を簡単に開封することができる。
【０００６】
また、特許文献１を含む多くの文献に開示されているように、包装箱の下端側にも同様の切取線が設けられることがある。この種の包装箱において、その上端側が既に開封された状態で、更に下端側の切取線に沿って蓋が正面部又は背面部から切り離されると、両側の蓋が開いた状態となる。
【０００７】
この状態では、蓋を介した正面部と背面部との連結が解除されており、これにより、周壁部の４つのコーナ部の折り曲げ角度を０°〜１８０°の角度範囲に亘って簡単に変えることが可能になる。そのため、対角線上に位置する一対のコーナ部の折り曲げ角度が０°、残り一対のコーナ部の折り曲げ角度が１８０°となるように、包装箱を簡単に扁平状に折り畳むことができる。したがって、このように折り畳まれた複数の包装箱を重ね合わせることで、全体としてコンパクトに廃棄することが可能になる。
【先行技術文献】
【特許文献】
【０００８】
【特許文献１】特開２０１３−２２７０３６号公報
【発明の概要】
【発明が解決しようとする課題】
【０００９】
しかしながら、上端側の切り取りによって既に開封された包装箱を、折り畳みのためにわざわざ下端側においても同様の切り取りを行って両側の蓋を開く作業は、ユーザに煩わしさを感じさせることがある。特に、調剤薬局等において一日に多数の包装箱を開封して廃棄する作業には時間と手間がかかり、切り取り作業を何度も繰り返す作業者が爪を痛めやすい問題もある。
【００１０】
また、下端側の蓋が閉じられたままの状態で包装箱を簡単に折り畳めるようにするために、折り畳み用の折り目を周壁部や下端側の蓋に予め形成しておくことも考えられるが、この場合、未開封の使用状態においても、折り畳み用の折り目に沿って折れ曲がるように包装箱が変形しやすくなってしまう。そのため、未開封の包装箱に外力が加えられたときに、包装箱の変形によって内容物に荷重が加わりやすくなり、例えば、ＰＴＰシートのアルミ箔が破れるなどの不具合が生じ得る。
【００１１】
そこで、本発明は、使用状態での変形を抑制しつつ、簡単且つコンパクトに廃棄できる包装箱を提供することを課題とする。
【課題を解決するための手段】
【００１２】
上記課題を解決するため、本発明に係る包装箱は、
第１方向に対向する正面部及び背面部、並びに、前記第１方向に直角な第２方向に対向する一対の側面部を有する周壁部と、
前記第１方向及び前記第２方向に直角な第３方向の一端側において前記周壁部の開口端部を塞ぐ第１端面部と、
前記第３方向の他端側において前記周壁部の開口端部を塞ぐ第２端面部と、を備えた包装箱であって、
前記一対の側面部の各表面における前記第１方向の中央部において、前記第３方向の全長の一部に凹状又は凸状の側面トリガ部が設けられ、
前記第２端面部の表面における前記第１方向の中央部において、前記第２方向の全長の一部に凹状又は凸状の端面トリガ部が設けられていることを特徴とする。
【００１３】
なお、本明細書でいう「トリガ部」とは、該トリガ部を有する面において、該面が折り曲げられるきっかけとなる部分を意味し、「トリガ部」には、折れやすくするための処理が施される。折れやすくするための処理の具体例としては、型押しによって溝状の「罫線」を形成する処理等が挙げられる。
【００１４】
この包装箱によれば、使用状態では折り曲げられることがない側面部の第１方向中央部及び第２端面部の第１方向中央部に、側面トリガ部及び端面トリガ部が設けられているため、第１端面部を開放させておけば、第２端面部が閉じられたままの状態でも、第１方向からの力により包装箱が押し潰されるとき、一対の側面部及び第２端面部が、それぞれの第１方向中央部において折り曲げられることで半分に折り畳まれた状態となりやすく、これにより、包装箱が全体として扁平状に押し潰されやすくなる。
【００１５】
そのため、従来のように第１端面部と第２端面部の両方を開放させてから包装箱を折り畳む場合に比べて、第２端面部を開放させる手間と時間を省いて、簡単に包装箱を扁平状に押し潰すことができる。したがって、複数の包装箱を廃棄する際、作業者の負担を軽減しつつ、扁平状に押し潰された複数の包装箱を重ね合わせることで、これらの包装箱をコンパクトに廃棄できる。
【００１６】
また、この包装箱によれば、各側面部における第３方向の全長の一部にしか側面トリガ部が設けられておらず、第２端面部における第２方向の全長の一部にしか端面トリガ部が設けられていないため、第１方向から押し潰そうとする力が包装箱に加えられない限り、各側面部及び第２端面部は容易には屈曲変形しない。そのため、使用状態における包装箱の変形が抑制され、内容物を効果的に保護することができる。
【００１７】
本発明において、
前記側面トリガ部は、前記第３方向において相互に間隔を空けて配置され且つそれぞれ前記第３方向に延びるように形成された第１及び第２側面トリガ部を有し、
前記一対の側面部の各表面において、前記第３方向の中央部を挟んだ一方側に前記第１側面トリガ部が配置され、他方側に前記第２側面トリガ部が配置されていてもよい。
【００１８】
この場合、各側面部における第３方向中央部には側面トリガ部が設けられていないことにより、使用状態での側面部の屈曲変形が効果的に抑制されることで、内容物の保護を効果的に図ることができる。また、第３方向中央部を挟んだ一方側及び他方側において、第１及び第２側面トリガ部がそれぞれ第３方向に延びるように形成されていることにより、包装箱が押し潰されるとき、側面部の第１方向中央部において、第３方向に連続するコーナ部が新たに形成されるような屈曲変形が効果的に促進され、これにより、包装箱を扁平状に押し潰しやすくなる。
【００１９】
この場合において、
前記一対の側面部の各表面における前記第１側面トリガ部と前記第２側面トリガ部との間の部分に、前記第１方向に延びる凹状又は凸状の屈曲抑制部が設けられてもよい。また、前記屈曲抑制部は、前記一対の側面部の各表面における前記第３方向の中央部を挟んだ一方側及び他方側のそれぞれに設けられてもよい。
【００２０】
第１方向に延びる屈曲抑制部が各側面部に設けられることにより、使用状態において、第１方向から荷重が入力されたときの側面部の屈曲変形がより効果的に抑制され、これにより、内容物の保護をより効果的に図ることができる。
【００２１】
本発明において、
前記第１端面部及び前記第２端面部のうち第１端面部側のみに、前記周壁部の開口端部を開放するための切取線が設けられてもよい。
【００２２】
この場合、切取線に沿った切り取りにより、第１端面部側において包装箱を簡単に開封できると共に、同様の切取線が第２端面部側に設けられていないことにより、開封時において、ユーザが誤って第２端面部側を開封することを防止できると共に、開封後には、第２端面部が閉じられたままでも簡単に包装箱を扁平状に押し潰せることをユーザに認識させやすい。また、第２端面部側にも切取線が設けられる場合に比べて、包装箱の壁部を貫通する切り込みの削減が図られるため、内容物の保護を効果的に図ることができる。
【００２３】
本発明において、
前記端面トリガ部は、前記第２端面部の表面における前記第２方向の一端と中央との間の部分から他端と中央との間の部分にかけて前記第２方向に沿って直線状に延びるように形成されてもよい。
【００２４】
この場合、第２端面部における第２方向両端部には端面トリガ部が設けられていないことにより、使用状態での第２端面部の屈曲変形が効果的に抑制され、これにより、内容物の保護を効果的に図ることができる。また、第２端面部の第２方向中央部を通って第２方向に延びるように端面トリガ部が形成されていることにより、包装箱が押し潰されるとき、第２端面部の第１方向中央部において、第２方向に連続するコーナ部が新たに形成されるような屈曲変形が効果的に促進され、これにより、包装箱を扁平状に押し潰しやすくなる。
【００２５】
本発明において、
前記端面トリガ部は、前記第２端面部の表面における前記第２方向の一端と中央との間の部分から前記第２方向の一端側に向かってＶ字状に拡がるように延びる第１端面トリガ部と、前記第２端面部の表面における前記第２方向の他端と中央との間の部分から前記第２方向の他端側に向かってＶ字状に拡がるように延びる第２端面トリガ部とを有してもよい。
【００２６】
この場合、第２端面部における第２方向の中央部及び両端部には端面トリガ部が設けられていないことにより、使用状態での第２端面部の屈曲変形が効果的に抑制されることで、内容物の保護を効果的に図ることができる。また、第２端面部の第１方向中央部において、Ｖ字状の第１及び第２端面トリガ部が向かい合うように形成されていることにより、包装箱が押し潰されるとき、第２端面部が第１方向中央部において屈曲変形することが効果的に促進され、これにより、包装箱を扁平状に押し潰しやすくなる。
【００２７】
本発明において、
前記第２端面部は、前記正面部又は前記背面部のいずれか一方における前記第３方向の端部に連なる内蓋と、前記正面部又は前記背面部のいずれか他方における前記第３方向の端部に連なる外蓋とを有し、
前記外蓋に、前記端面トリガ部が設けられ、
前記内蓋における前記端面トリガ部に重なる部分に、前記第２方向に延びるミシン目状の切り込み又は直線状のハーフカットが形成されてもよい。
【００２８】
この場合、包装箱が押し潰されるとき、第２端面部の外蓋は、上記の端面トリガ部が設けられていることにより第１方向中央部での屈曲変形が促進され、第２端面部の内蓋は、その第１方向中央部におけるミシン目状の切り込み又は直線状のハーフカットに沿った屈曲変形が効果的に促進される。そのため、第２方向に連続するコーナ部が新たに形成されるような第２端面部の折り畳みを効果的に促進できる。また、外観を損ねやすい切り込み又はハーフカットが設けられた内蓋は、使用状態において外蓋に覆われるため、包装箱の外観を損ねることを防止できる。
【００２９】
この場合において、
前記内蓋は、前記第１方向における前記切り込み又は前記ハーフカットよりも基端側の部分のみにおいて前記外蓋に接着されてもよい。
【００３０】
この場合、上記のように一対の側面部と第２端面部の内蓋及び外蓋とが折り畳まれて包装箱が押し潰された後に、一対の側面部と第２端面部の外蓋とが元のフラットな状態に戻されたとき、第２端面部の内蓋は、その切り込み又はハーフカットよりも基端側部分のみが外蓋に追従し、外蓋に接着されていない先端側部分は、外蓋から立ち上がった状態になりやすい。この状態の包装箱に内容物を収容しようとした場合、内蓋の立ち上がり部分に内容物が干渉することによって、当該包装箱が一旦押し潰された後に再利用されたものであることに気づきやすくなる。そのため、包装箱の再利用が好ましくない場合において、当該再利用を防止することができる。
【００３１】
本発明において、
前記第１端面部と前記第２端面部は、前記一対の側面部の前記第３方向の端部に連なる一対のサイドフラップと、該一対のサイドフラップの外側に重ねられる蓋とをそれぞれ有し、
前記サイドフラップのそれぞれには、前記第１端面部及び前記第２端面部における前記第１方向の中央部において前記第２方向に延びるミシン目状の切り込み又は直線状のハーフカットが形成されてもよい。
【００３２】
この場合、第１端面部と第２端面部に設けられた各サイドフラップの第１方向中央部にミシン目状の切り込み又は直線状のハーフカットが形成されていることにより、各サイドフラップを側面部と共に屈曲変形させやすくなる。また、外観を損ねやすい切り込み又はハーフカットが設けられた各サイドフラップは、使用状態において蓋に覆われるため、包装箱の外観を損ねることを防止できる。
【００３３】
この場合において、
前記一対の側面部の各表面における前記第２端面部の前記サイドフラップとの境界に隣接する部分に、前記第１方向の中央部から前記第３方向の前記第２端面部側に向かってＶ字状に拡がるように延びる凹状又は凸状の屈曲促進部が設けられてもよい。
【００３４】
なお、本明細書でいう「屈曲促進部」とは、該屈曲促進部を有する面において、折れやすくするための処理が施された部分を意味する。折れやすくするための処理の具体例としては、型押しによって溝状の「罫線」を形成する処理等が挙げられる。
【００３５】
これにより、側面部全体が第１方向中央部で屈曲変形するとき、側面部における第２端面部のサイドフラップとの境界に隣接する部分が、Ｖ字状の屈曲促進部に沿った屈曲により内側に折り込まれることに伴って、サイドフラップ全体が側面部の内側に折り重ねられることを促すことができる。そのため、側面部の屈曲変形がサイドフラップによって阻害されることを抑制でき、これにより、包装箱全体を円滑に押し潰すことができる。
【発明の効果】
【００３６】
本発明によれば、使用状態での包装箱の変形を抑制しつつ、使用後は、第２端面部を開放させることなく簡単に包装箱を扁平状に押し潰すことができる。したがって、作業者の負担を軽減しつつ、複数の包装箱を全体としてコンパクトに廃棄できる。
【図面の簡単な説明】
【００３７】
【図１】第１の実施形態に係る包装箱を示す斜視図である。
【図２】同包装箱を別の方向から見た斜視図である。
【図３】封止前の同包装箱を示す斜視図である。
【図４】同包装箱を構成するブランクシートを示す平面図である。
【図５】同ブランクシートの一部の断面形状を示す図４のＡ−Ａ線断面図である。
【図６】使用後の同包装箱の潰し方を示す斜視図である。
【図７】押し潰された状態の同包装箱を示す斜視図である。
【図８】押し潰された同包装箱の内部を示す図７のＢ−Ｂ線断面図である。
【図９】押し潰された同包装箱の内部を示す図７のＣ−Ｃ線断面図である。
【図１０】押し潰す前の形状に復元しようとした状態の同包装箱の内部を示す図９と同様の断面図である。
【図１１】第２の実施形態に係る包装箱を示す図２と同様の斜視図である。
【図１２】第３の実施形態に係る包装箱を示す図３と同様の斜視図である。
【発明を実施するための形態】
【００３８】
以下、図面を参照しながら、本発明の実施形態について説明する。
【００３９】
なお、以下の実施形態の説明において、「上」、「下」、「左」、「右」、「正面」、「背面」、「高さ」、「横」、「前後」等の方向を示す用語は、特段の説明がある場合を除いて、組み立てられて封止された状態の包装箱を正面側から見た場合の方向を指すものとする。
【００４０】
また、以下の説明で用いる「前後方向Ｘ」、「横方向Ｙ」、「高さ方向Ｚ」という各用語は、それぞれ、特許請求の範囲の「第１方向」、「第２方向」、「第３方向」に対応するものである。
【００４１】
さらに、本明細書において、単に「外側」又は「内側」という場合、これらの用語は、包装箱の「外側」又は「内側」を意味する。
【００４２】
［第１の実施形態］
図１から図３に示すように、第１の実施形態に係る包装箱１は、高さ方向Ｚに延びて両端に開口部を有する角筒状の周壁部４と、周壁部４の上端に連なる４枚のフラップ１１，１２，１３，１４と、周壁部４の下端に連なる４枚のフラップ２１，２２，２３，２４とを備える。
【００４３】
周壁部４は、正面部５と、前後方向Ｘにおいて正面部５の背面側に対向する背面部６と、横方向Ｙにおいて相互に対向し、それぞれ正面部５と背面部６に跨がる第１側面部７及び第２側面部８と、を有する。正面部５及び背面部６は、互いに平行に配置され、横方向Ｙにおいて互いに等しい幅を有する。第１側面部７及び第２側面部８は、互いに平行に配置され、前後方向Ｘにおいて互いに等しい幅を有する。第１側面部７及び第２側面部８の前後方向Ｘの幅は、正面部５及び背面部６の横方向Ｙの幅よりも小さい。
【００４４】
上側のフラップ１１，１２，１３，１４は、具体的には、正面部５の上端に連なる第１フラップとしての内蓋１１、背面部の上端に連なる第２フラップとしての外蓋１２、第１側面部７の上端に連なるサイドフラップ１３、及び、第２側面部８の上端に連なるサイドフラップ１４である。
【００４５】
上側の４枚のフラップ１１〜１４は、内側から、一対のサイドフラップ１３，１４、内蓋１１、外蓋１２の順で重なるように折り込まれる。一対のサイドフラップ１３，１４は、折り込まれた状態において互いに干渉せず、これらのサイドフラップ１３，１４の先端部間には隙間が生じる。内蓋１１は、サイドフラップ１３，１４の外側に固定されることなく折り重ねられる。内蓋１１は、先端に向かうに従って僅かに細くなる台形状であり、周壁部４の上側開口部の大部分を塞ぐような大きさを有する。外蓋１２は、内蓋１１とは反対側から周壁部４の上端開口部を塞ぐように折り込まれ、内蓋１１の外側に重ねられて例えば接着により固定される。外蓋１２は、先端に向かうに従って僅かに細くなる台形状であり、周壁部４の上側開口部の大部分を塞ぐような大きさを有する。
【００４６】
周壁部４の上端開口部は、周壁部４のフラップ１１〜１４が折り重ねられることで完全に塞がれて、これらのフラップ１１〜１４により、包装箱１の上面部としての第１端面部１０が構成される。第１端面部１０は、内蓋１１と外蓋１２とが接着されることで封止される。
【００４７】
下側のフラップ２１，２２，２３，２４は、具体的には、正面部５の下端に連なる内蓋２１、背面部６の下端に連なる外蓋２２、第１側面部７の下端に連なるサイドフラップ２３、及び、第２側面部８の下端に連なるサイドフラップ２４である。
【００４８】
下側の内蓋２１、外蓋２２及び一対のサイドフラップ２３，２４の構成は、それぞれ、上側の内蓋１１、外蓋１２及び一対のサイドフラップ１３，１４と同様である。下側のフラップ２１〜２４は、内側から、一対のサイドフラップ２３，２４、内蓋２１、外蓋２２の順で重なるように折り込まれる。内蓋２１は、サイドフラップ２３，２４の外側に固定されることなく折り重ねられる。内蓋２１と外蓋２２とは例えば接着により互いに固定される。
【００４９】
これら４枚のフラップ２１〜２４によって、周壁部４の下端開口部は、完全に塞がれた状態で封止される。これらのフラップ２１〜２４により、包装箱１の底面部としての第２端面部２０が構成される。
【００５０】
以上のように、包装箱１は、第１及び第２端面部１０，２０がそれぞれ４枚のフラップによって封止されるシールエンドカートンである。第１及び第２端面部１０，２０が封止された状態における包装箱１は、略直方体の全体形状を有する。
【００５１】
包装箱１は、図４に示すような厚紙からなるブランクシート２を折り曲げることで組み立てられる紙カートンである。なお、図４は、包装箱１を構成する各部５，６，７，８，９，１１，１２，１３，１４，２１，２２，２３，２４の外側から見たブランクシート２の平面図である。
【００５２】
図４に示すブランクシート２では、図４における左側から順に、固定面部９、正面部５、第１側面部７、背面部６、第２側面部８が、高さ方向Ｚに延びる凹状の折り目線Ｆ１〜Ｆ４を介して連ねて設けられている。
【００５３】
第１側面部７の上側には、水平方向に延びる凹状の折り目線Ｆ５を介して上側のサイドフラップ１３が連なり、第１側面部７の下側には、水平方向に延びる凹状の折り目線Ｆ６を介して下側のサイドフラップ２３が連なっている。
【００５４】
第２側面部８の上側には、水平方向に延びる凹状の折り目線Ｆ７を介して上側のサイドフラップ１４が連なり、第２側面部８の下側には、水平方向に延びる凹状の折り目線Ｆ８を介して下側のサイドフラップ２４が連なっている。
【００５５】
第１及び第２側面部７，８には、それぞれ後述の側面トリガ部４１，４２、屈曲抑制部４４，４５及び屈曲促進部５０が設けられている。また、各サイドフラップ１３，１４，２３，２４には、後述の切り込み６４，６６が設けられている。
【００５６】
背面部６の上側には、水平方向に延びる凹状の折り目線Ｆ９を介して上側の外蓋１２が連なり、背面部６の下側には、水平方向に延びる凹状の折り目線Ｆ１０を介して下側の外蓋２２が連なっている。下側の外蓋２２には後述の端面トリガ部６０が設けられている。
【００５７】
正面部５の上側には、水平方向に延びる凹状の折り目線Ｆ１１を介して上側の内蓋１１が連なり、正面部５の下側には、水平方向に延びる凹状の折り目線Ｆ１２を介して下側の内蓋２１が連なっている。正面部５の上縁部には、後述の切取線３０と被押圧部５ａが設けられている。下側の内蓋２１には後述の切り込み６２が設けられている。
【００５８】
図５は、折り目線Ｆ４及び後述の第１側面トリガ部４１の断面形状を示す図４のＡ−Ａ線断面図である。図５に示すように、折り目線Ｆ４及び第１側面トリガ部４１は、ブランクシート２の外側の面から見て凹状に形成されている。図５での図示は省略されているが、その他の折り目線Ｆ１〜Ｆ３，Ｆ５〜Ｆ１２、並びに、後述の第２側面トリガ部４２、屈曲抑制部４４，４５、屈曲促進部５０及び端面トリガ部６０も、同様の凹状に形成されている。これらの凹状部４１，４２，４４，４５，５０，６０，Ｆ１〜Ｆ１２は、型押しによって形成された溝状の罫線で構成されている。
【００５９】
続いて、図４に示すブランクシート２を用いて包装箱１を組み立てる手順について説明する。
【００６０】
まず、第２側面部８と背面部６の間の折り目線Ｆ４に沿って折り曲げ、第１側面部７と正面部５の間の折り目線Ｆ２に沿って折り曲げ、糊部３２によって第２側面部８の内面と固定面部９の外面とを接着する。これにより、折り畳み状態の包装箱１が完成する。
【００６１】
その後、高さ方向Ｚに延びる折り目線Ｆ１〜Ｆ４に沿った周壁部４の４つのコーナを略直角に起こすと、図３に示すように第１端面部１０及び第２端面部２０が開放した状態の包装箱１が形成される。
【００６２】
続いて、上側のフラップ１１〜１４及び下側のフラップ２１〜２４を上述のように折り重ねて、それぞれの内蓋１１，２１に外蓋１２，２２を接着することで、包装箱１の第１端面部１０及び第２端面部２０が封止されて、図１に示す封止状態の包装箱１が完成する。
【００６３】
上述のように、本実施形態の包装箱１はシールエンドカートンであるため、第１及び第２端面部１０，２０を閉じるとき、タックエンドカートンの端面を閉じるときに行われるような差し込みフラップの差し込み工程が不要である。そのため、包装箱１の第１及び第２端面部１０，２０を自動包装機によって簡単かつ迅速に閉じることができる。
【００６４】
以上のように組み立てられた包装箱１は、正面部５に設けられた切取線３０に沿って正面部５を破ることで開封される。
【００６５】
切取線３０は、ミシン目状に並ぶ複数の切り込みで構成されている。切取線３０は、正面部５の上左端から正面部５の上縁に沿って横方向Ｙ右側へ延びる第１直線部３０ａと、正面部５の右上端から正面部５の上縁に沿って横方向Ｙ左側へ延びる第２直線部３０ｂと、第１直線部３０ａの右端から正面部５の上縁を下側へ膨出するように迂回して第２直線部３０ｂの左端まで延びる膨出部３０ｃとを有する。
【００６６】
これにより、正面部５の内蓋１１との境界近傍かつ横方向Ｙの中央部に、正面部５の上縁と切取線３０の膨出部３０ｃとで囲まれた略台形状の被押圧部５ａが形成されている。
【００６７】
ただし、切取線３０の構成は、上述のものに限定されるものでなく、種々の変更が可能である。例えば、ジッパ状に配置された複数の切り込みで切取線３０が構成されてもよい。
【００６８】
包装箱１を開封する人の指によって被押圧部５ａが外側から押し込まれると、被押圧部５ａは、切取線３０の膨出部３０ｃに沿って正面部５から切り離される。さらに、正面部５から切り離された被押圧部５ａが内蓋１１と共に上方に引き上げられると、内蓋１１は、切取線３０の第１及び第２直線部３０ａ，３０ｂに沿って正面部５から切り離される。
【００６９】
図６に示すように、外蓋１２に接着された内蓋１１が上記のように正面部５から切り離されると、内蓋１１を介して正面部５に拘束されていた外蓋１２を開くことができる（図６参照）。これにより、包装箱１は、第１端面部１０が開放された開封状態となる。開封状態において、内蓋１１及びこれに連なる被押圧部５ａは、外蓋１２を介して背面部６に連なる状態となる。
【００７０】
開封された包装箱１は、第２端面部２０が閉じられたままの状態でも、前後方向Ｘからの外力によって、簡単に扁平状に押し潰され得る（図７参照）。
【００７１】
以下、包装箱１を扁平状に押し潰しやすくするための構成について説明する。
【００７２】
図１〜図３に示すように、第１側面部７及び第２側面部８各表面における前後方向Ｘの中央部には、側面トリガ部４１，４２が設けられている。側面トリガ部４１，４２は、高さ方向Ｚにおける第１側面部７及び第２側面部８の各表面の全長の一部に設けられている。
【００７３】
側面トリガ部４１，４２は、高さ方向Ｚにおいて相互に間隔を開けて配置された第１側面トリガ部４１及び第２側面トリガ部４２で構成されている。各側面トリガ部４１，４２は、高さ方向Ｚに延びる凹状の溝部で構成されている。第１側面トリガ部４１及び第２側面トリガ部４２のそれぞれにおいて、高さ方向Ｚの中央よりも上側に第１側面トリガ部４１が設けられ、高さ方向Ｚの中央よりも下側に第２側面トリガ部４２が設けられている。
【００７４】
第１側面トリガ部４１と第２側面トリガ部４２は、略等しい長さを有する。高さ方向Ｚにおける第１側面トリガ部４１と第２側面トリガ部４２との間隔は、各側面トリガ部４１，４２の長さよりも短い。高さ方向Ｚにおいて、第１側面部７及び第２側面部８の上端と第１側面トリガ部４１の上端との間隔、及び、第１側面部７及び第２側面部８の下端と第２側面トリガ部４２の下端との間隔は、第１側面トリガ部４１と第２側面トリガ部４２との間隔よりも短い。
【００７５】
第１側面トリガ部４１及び第２側面トリガ部４２のそれぞれにおいて、第１側面トリガ部４１，４１と第２側面トリガ部４２，４２との間の部分に、屈曲抑制部４４，４５が設けられている。屈曲抑制部４４，４５は、高さ方向Ｚにおいて相互に間隔を空けて配置された第１屈曲抑制部４４及び第２屈曲抑制部４５で構成されている。各屈曲抑制部４４，４５は、前後方向Ｘに延びる凹状の溝部で構成されている。第１屈曲抑制部４４の長さ方向中央部は、第１側面トリガ部４１の下端に接しており、第２屈曲抑制部４５の長さ方向中央部は、第２側面トリガ部４２の上端に接している。
【００７６】
第１屈曲抑制部４４と第２屈曲抑制部４５は、略等しい長さを有する。第１及び第２屈曲抑制部４４，４５の長さは、前後方向Ｘにおける第１側面部７及び第２側面部８の幅の半分よりも短い。また、第１及び第２屈曲抑制部４４，４５の長さは、高さ方向Ｚにおける第１側面トリガ部４１と第２側面トリガ部４２との間隔よりも短い。
【００７７】
また、第１側面部７及び第２側面部８の各下端部、すなわち、第２端面部２０のサイドフラップ２３，２４との境界に隣接する部分に、屈曲促進部５０が設けられている。屈曲促進部５０は、第１側面部７及び第２側面部８における前後方向Ｘの各中央部から高さ方向Ｚの第２端面部２０側に向かってＶ字状に拡がるように延びる凹状の溝部で構成されている。
【００７８】
図３に示すように、第１端面部１０のサイドフラップ１３，１４には、サイドフラップ１３，１４が第１側面部７及び第２側面部８に平行に配置された状態において高さ方向Ｚに延びるミシン目状の切り込み６４が形成されている。なお、図３においては、一方のサイドフラップ１３の切り込み６４のみが図示されているが、他方のサイドフラップ１４にも同様の切り込み６４が形成されている。切り込み６４は、第１端面部１０における前後方向Ｘ中央部に配置されている。
【００７９】
第２端面部２０のサイドフラップ２３，２４にも同様の切り込み６６が形成されている。なお、図３においては、一方のサイドフラップ２３の切り込み６６のみが図示されているが、他方のサイドフラップ２４にも同様の切り込み６６が形成されている。
【００８０】
切り込み６６は、第２端面部２０が閉じられた状態、すなわちサイドフラップ２３，２４が第１及び第２側面部７，８に直角に配置された状態において横方向Ｙに延びるミシン目状に形成されている。切り込み６６は、第２端面部２０における前後方向Ｘ中央部に配置されている。
【００８１】
なお、第１端面部１０及び第２端面部２０の各サイドフラップ１３，１４，２３，２４において、切り込み６４，６６に代えて、直線状のハーフカットが形成されるようにしてもよい。
【００８２】
第２端面部２０の外蓋２２には、図２に示すように、端面トリガ部６０が設けられている。端面トリガ部６０は、外蓋２２の表面において横方向Ｙに沿って直線状に延びる凹状の溝部で構成されている。端面トリガ部６０は、外蓋２２の前後方向Ｘの中央部に配置されている。横方向Ｙに関して、端面トリガ部６０の右端は、外蓋２２の右端と中央との間に位置し、端面トリガ部６０の左端は、外蓋２２の左端と中央との間に位置する。すなわち、端面トリガ部６０は、外蓋２２における横方向Ｙの一端部と中央部の間の部分から他端部と中央部の間の部分まで直線状に延びている。
【００８３】
図３に示すように、第２端面部２０の内蓋２１において、外蓋２２の端面トリガ部６０（図２参照）に重なる部分には、横方向Ｙに延びるミシン目状の切り込み６２が形成されている。切り込み６２は、第２端面部２０における前後方向Ｘ中央部に配置されている。切り込み６２は、端面トリガ部６０よりも短く形成されている。横方向Ｙに関して、切り込み６２の右端は端面トリガ部６０の右端よりも中央側に位置し、切り込み２６の左端は端面トリガ部６０の左端よりも中央側に位置する。
【００８４】
第２端面部２０の内蓋２１は、切り込み６２よりも基端側部分のみにおいて外蓋２２に接着され、切り込み６２よりも先端側部分は外蓋２２に拘束されないようになっている。
【００８５】
なお、内蓋２１において、切り込み６２に代えて、直線状のハーフカットが形成されてもよい。
【００８６】
以上のように構成された包装箱１は、以下のように押し潰される。
【００８７】
図６と図７に示すように、本発明の実施形態では、開封されて内容物が取り出されることで使用済みとなった包装箱１を、次のように押し潰すことでコンパクトに廃棄することができる。
【００８８】
具体的には、第１端面部１０が開放されると共に第２端面部２０が閉じられたままの包装箱１を、例えばユーザの手のひら等で正面部５側又は背面部６側から前後方向Ｘに押圧することで、正面部５と背面部６が互いに接近するように、また、一対の側面部７，８及び第２端面部２０は外側に張り出しながら折り畳まれるように、包装箱１を押し潰すことができる。
【００８９】
より具体的には、包装箱１が押し潰されるとき、第１側面部７と第２側面部８は、図７及び図８に示すように、全体的に横方向Ｙ外側に張り出し、且つ、高さ方向Ｚに延びる第１側面トリガ部４１，４１と第２側面トリガ部４２，４２に沿って半分に折り畳まれるように変形する。これにより、各側面部７，８の前後方向Ｘの中央部に、高さ方向Ｚに連続するコーナ部４３，４３が新たに形成される。このとき、各側面部７，８におけるコーナ部４３，４３よりも前後方向Ｘの正面側部分と背面側部分とは、その内面同士が対向するように折り重ねられた状態となる。
【００９０】
また、図７に示すように、上側のサイドフラップ１３，１４は、全体的に横方向Ｙ外側に張り出し、且つ、高さ方向Ｚに延びるミシン目状の切り込み６４，６４に沿って半分に折り畳まれるように変形する。このとき、各サイドフラップ１３，１４における前後方向Ｘ中央部よりも正面側部分と背面側部分とは、その内面同士が対向するように折り重ねられた状態となる。
【００９１】
一方、図７〜図９に示すように、下側のサイドフラップ２３，２４は、各側面部７，８におけるＶ字状の屈曲促進部５０，５０の下側に隣接する部分と共に、屈曲促進部５０，５０に沿って、包装箱１の内側に折り込まれて、側面部７，８における屈曲促進部５０，５０の上側に隣接する部分の内側に重ねられる。
【００９２】
このとき、下側のサイドフラップ２３，２４は、その先端を高さ方向Ｚの上側に変位させながら、ミシン目状の切り込み６６，６６に沿って谷折りに半分に折り畳まれる。これにより、各サイドフラップ２３，２４における前後方向Ｘ中央部よりも正面側部分と背面側部分とは、その外面同士が対向するように折り重ねられた状態となる。このようにして折り畳まれた各サイドフラップ２３，２４は、対応する側面部７，８における上記のコーナ部４３よりも前後方向Ｘの正面側部分と背面側部分との間に挟み込まれる。
【００９３】
図７及び図９に示すように、第２端面部２０の外蓋２２は、横方向Ｙに延びる端面トリガ部６０に沿って半分に折り畳まれるように、且つ、全体的に高さ方向Ｚの外側に拡がるように変形する。第２端面部２０の内蓋２１は、その基端側部分において接着された外蓋２２に追従して、横方向Ｙに延びるミシン目状の切り込み６２に沿って半分に折り畳まれるように、且つ、全体的に高さ方向Ｚの外側に拡がるように変形する。このとき、内蓋２１における切り込み２６よりも前後方向Ｘの正面側部分と背面側部分とは、その内面同士が対向するように折り重ねられた状態となる。
【００９４】
これにより、第２端面部２０の前後方向Ｘの中央部に、横方向Ｙに連続するコーナ部６３が新たに形成される。
【００９５】
以上のように、包装箱１の第１端面部１０のみを開放しておけば、第２端面部２０を閉じたままでも、前後方向Ｘからの押圧によって、上述した各側面トリガ部４１，４２、屈曲促進部５０及び端面トリガ部６０での屈曲が促進されることで、包装箱１を容易に押し潰すことが出来る。
【００９６】
そのため、従来のように両端面部を開放させてから包装箱を折り畳む場合に比べ、第２端面部２０を開放させる手間と時間を省いて、簡単に包装箱を偏平状に押しつぶすことができる。したがって、複数の包装箱１を破棄する際、作業者の負担を軽減しつつ、偏平状に押しつぶされた複数の包装箱１を重ねることで、これらの包装箱１をコンパクトに廃棄できる。
【００９７】
また、上述したように、一対の側面部７,８と第２端面部２０はそれぞれ外側に張り出した状態で半分に折り畳まれる。
【００９８】
仮に側面部７，８と第２端面部２０が周壁部４の内側に入り込むように折り畳まれる場合、折り畳まれた側面部７，８及び第２端面部２０が正面部５と背面部６との間に介在することになると共に、各側面部７，８と正面部５及び背面部６との間の各コーナ部、第２端面部２０と正面部５及び背面部６との間の各コーナ部、並びに、各側面部７，８及び第２端面部２０の折り畳みによって新たに形成されたコーナ部４３，４３，６３の折り曲げ角度はいずれも鋭角になることから、折り畳まれた各側面部７，８と第２端面部２０が元のフラットな形状に戻ろうとする復元力が大きくなり、正面部５と背面部６との間の間隔が拡がりやすくなる。
【００９９】
これに対して、本実施形態によれば、折り畳まれた一対の側面部７，８及び第２端面部２０が正面部５と背面部６との間に介在しないとともに、各側面部７，８と正面部５及び背面部６との間の各コーナ部、及び、第２端面部２０と正面部５及び背面部６との間のコーナ部の折り曲げ角度が鈍角になることから、各側面部７，８及び第２端面部２０に作用する復元力が小さくなり、正面部５と背面部６との間の間隔が拡がり難く、全体として扁平な状態を維持しやすい。したがって、押しつぶされた複数の包装箱１を重ね合わせたときに、これらの包装箱１を全体的な厚さが小さな状態でまとめやすく、よりコンパクトな状態での廃棄が可能になる。
【０１００】
また、各側面部７，８の高さ方向Ｚ中央部には側面トリガ部４１，４２が設けられておらず、その代わりに屈曲抑制部４４，４４，４５，４５が設けられているので、使用状態（未開封の状態）における各側面部７，８の屈曲を抑制できる。
【０１０１】
さらに、端面トリガ部６０は、第２端面部２０における横方向Ｙの中央部のみに形成されているので、使用状態における第２端面部２０の屈曲変形が抑制できる。
【０１０２】
このように、前後方向Ｘから押しつぶそうとする力が包装箱１に加えられない限り、各側面部７，８及び第２端面部２０は容易には屈曲変形しないため、包装箱１に収容された内容物を効果的に保護できる。
【０１０３】
また、包装箱１には、正面部５の第１端面部１０側にのみ切取線３０が設けられており、第２端面部２０側には切取線が設けられていないので、ユーザが誤って第２端面部２０側から開封してしまうことを抑制できる。
【０１０４】
これにより、仮に包装箱１内における第１端面部１０側に添付文書等の添付物が封入されている場合、添付物が封入された側からの開封を促すことができる。そのため、第１端面部１０側からの開封時に、ユーザの指と内容物との間に添付物が介在することで、ユーザの指による押圧力が内容物に直接加えられることを抑制したり、内容物の収容状態を維持したままで添付物のみを取り出しやすくなったりする利点がある。
【０１０５】
さらに、切取線３０は第１端面部１０側のみに設けられているので、仮に包装箱１の両端面部１０，２０側に切取線を設ける場合に比べて、包装箱１の内側空間と外側空間とを連通させるように包装箱１の壁部を貫通する切り込み部分の削減を図ることができ、これにより、内容物の保護を効果的に図ることができる。
【０１０６】
また、第２端面部２０側には切取線が設けられていないことにより、第２端面部２０を開放することなく包装箱１を折り畳み可能であることを認識させやすくなるという利点もある。
【０１０７】
さらに、上述したように、第２端面部２０の内蓋２１（図３参照）は、その切り込み６２よりも基端側部分のみにおいて外蓋２２に接着されている（図９参照）。そのため、包装箱１が、図９に示すように押し潰されて折り畳まれるように変形した後に、図１０に示すように押し潰される前の形状に戻されようとするとき、内蓋２１の先端部２１ａは外蓋２２から立ち上がった状態となり、サイドフラップ２３，２４に引っ掛かりやすい。
【０１０８】
したがって、サイドフラップ２３，２４は上側に盛り上がり、内蓋２１と外蓋２２は下側に突出した状態になりやすく、第２端面部２０を元のフラットな形状に完全に戻し難い。そのため、このような状態の包装箱１に再び内容物を収容しようとした場合、上側に盛り上がった第２端面部２０に内容物が干渉することで、当該包装箱１が一旦潰された後に再利用されたものであることを、ユーザに気づかせやすい。よって、包装箱１の再利用が好ましくない場合において、再利用を防止するための注意喚起ができる。
【０１０９】
［第２の実施形態］
図１１を参照しながら、第２の実施形態に係る包装箱２０１について説明する。なお、第２の実施形態において、第１の実施形態と同様の構成及び効果については説明を省略する。また、図１１において、第１の実施形態と同様の機能を有する要素には同符号を付してある。
【０１１０】
図１１に示すように、第２の実施形態に係る包装箱２０１は、第２端面部２０の外蓋２２における端面トリガ部の構成を除けば、第１の実施形態に係る包装箱１（図２参照）と同じ構造を有する。
【０１１１】
第２の実施形態においても、端面トリガ部２６１，２６２は、第２端面部２０の外蓋２２の表面における前後方向Ｘの中央部に設けられている。各端面トリガ部２６１，２６２は、横方向Ｙにおいて相互に間隔を開けて配置された第１端面トリガ部２６１及び第２端面トリガ部２６２で構成されている。各端面トリガ部２６１，２６２は、前後方向Ｘの中央から横方向Ｙの外側に向かってＶ字状に拡がるように延びる凹状の溝部で構成されている。第１端面トリガ部２６１は、横方向Ｙの中央よりも左側に設けられ、第２端面トリガ部２６２は、横方向Ｙの中央よりも右側に設けられている。第１端面トリガ部２６１と第２端面トリガ部２６２は、それぞれのＶ字の頂点が対向するように配置されている。
【０１１２】
以上の構成により、第１の実施形態と同様に、第１端面部１０が開放されるとともに第２端面部２０が閉じられたままの包装箱２０１を、前後方向Ｘから押圧することで、一対の側面部７，８及び第２端面部２０が外側に張り出しながら折り畳まれるように包装箱２０１を押し潰すことができる。
【０１１３】
このとき、第２端面部２０の外蓋２２は、第１及び第２端面トリガ部２６１，２６２の頂点部分を基点として屈曲変形しやすくなっている。具体的に、外蓋２２は、第１及び第２端面トリガ部２６１，２６２の頂点を通って横方向Ｙに延びる仮想直線に沿って半分に折り畳まれるように、且つ、全体的に高さ方向Ｚの外側に拡がるように変形する。これにより、第２端面部２０は、第１実施形態と同様の態様で折り畳まれるように変形する。
【０１１４】
したがって、第２実施形態においても、第１実施形態と同様の効果を得ることができ、使用済みとなった包装箱２０１をコンパクトに廃棄することができる。
【０１１５】
また、第２実施形態の端面トリガ部２６１，２６２は、横方向Ｙの２点のみに形成されていることから、横方向Ｙの広範囲に亘って端面トリガ部６０（図２参照）が形成された第１実施形態に比べて、使用状態（未開封状態）での第２端面部２０の屈曲変形を抑制しやすくなっている。したがって、第２実施形態によれば、包装箱２０１の使用状態において、より効果的に内容物を保護することができる。
【０１１６】
［第３の実施形態］
図１２を参照しながら、第３の実施形態に係る包装箱３０１について説明する。なお、第３の実施形態において、第１の実施形態と同様の構成及び効果については説明を省略する。また、図１２において、第１の実施形態と同様の機能を有する要素には同符号を付してある。
【０１１７】
図１２に示すように、第３の実施形態に係る包装箱３０１は、第１端面部３１０及び第２端面部３２０の構成を除けば、第１の実施形態に係る包装箱１（図３参照）と同じ構造を有する。第３の実施形態に係る包装箱３０１は、第１端面部３１０及び第２端面部３２０がそれぞれ後述の３枚のフラップで構成されたタックエンドカートンである。
【０１１８】
第１端面部３１０は、横方向Ｙに延びる折り目線Ｆ１１を介して正面部５の上縁に連なる蓋部３１１と、横方向Ｙに延びる折り目線Ｆ１３を介して蓋部３１１の先端に連なる差込片３１２と、第１実施形態と同様の一対のサイドフラップ１３，１４とで構成されている。
【０１１９】
第２端面部３２０は、横方向Ｙに延びる折り目線Ｆ１２を介して正面部５の下縁に連なる蓋部３２１と、横方向Ｙに延びる折り目線Ｆ１４を介して蓋部３２１の先端に連なる差込片３２２と、第１実施形態と同様の一対のサイドフラップ２３，２４とで構成されている。
【０１２０】
第２端面部３２０の前後方向Ｘ中央部において、蓋部３２１には、第１実施形態と同様の端面トリガ部６０が設けられている。
【０１２１】
第１端面部３１０及び第２端面部３２０は、前述の差込片３１２及び３２２が周壁部４の内側に差し込まれることで閉じられる。このとき、各差込片３１２，３２２は周壁部４の背面部６の内面に接着され、これにより、タックエンドカートン３０１の両端面部３１０，３２０が封止される。
【０１２２】
以上のように構成された第３実施形態の包装箱３０１においても第１実施形態と同様の側面トリガ部４１，４２及び端面トリガ部６０が設けられているため、第１端面部３１０が開放されると共に第２端面部３２０が閉じられたままの包装箱３０１を前後方向Ｘから押圧することで、第１実施形態と同様、一対の側面部７，８及び第２端面部３２０が外側に張り出しながら折り畳まれるように包装箱３０１を押し潰すことができる。これにより、第１の実施形態と同様に使用済みとなった包装箱３０１をコンパクトに廃棄することができる。
【０１２３】
なお、第３実施形態において、第２端面部３２０の蓋部３２１には、第１実施形態と同様の端面トリガ部６０に代えて、第２実施形態と同様の端面トリガ部２６１，２６２が設けられてもよく、これにより、第２実施形態と同様の効果を得ることができる。
【０１２４】
また、第３実施形態において、第２端面部３２０の蓋部３２１は、正面部５の下縁に連なるように設けられているが、背面部６の下縁に連なるように設けられてもよい。
【０１２５】
以上、上述の実施形態を挙げて本発明を説明したが、本発明は上述の実施形態に限定されるものではない。
【０１２６】
上述の実施形態では、第１側面部及び第２側面部に側面トリガ部が２つずつ設けられる場合を説明したが、側面トリガ部は１つ又は３つ以上設けられてもよい。
【０１２７】
また、上述の実施形態では、第１側面部及び第２側面部に屈曲抑制部を設ける場合を説明したが、本発明では、屈曲抑制部を省略することも可能である。この場合、各側面部において、第１側面トリガ部及び第２側面トリガ部が高さ方向Ｚにおいてある程度の間隔を空けて配置されることで、包装箱の使用状態における側面部の屈曲変形を効果的に抑制でき、これにより、内容物の効果的な保護を図ることが可能である。
【産業上の利用可能性】
【０１２８】
以上のように、本発明によれば、使用状態での変形を抑制しつつ、簡単且つコンパクトに廃棄できる包装箱を提供することが可能となるため、医薬品及び食品を含む種々の物品を封入する包装箱に好適に利用される可能性がある。
【符号の説明】
【０１２９】
１，２０１，３０１    包装箱
２                    ブランクシート
４                    周壁部
５                    正面部
５ａ                  被押圧部
６                    背面部
７                    第１側面部
８                    第２側面部
９                    固定面部
１０，３１０          第１端面部
１１                  内蓋
１２                  外蓋
１３，１４            サイドフラップ
２０，３２０          第２端面部
２１                  内蓋
２２                  外蓋
２３，２４            サイドフラップ
３０                  切取線
４１                  第１側面トリガ部
４２                  第２側面トリガ部
４４，４５            屈曲抑制部
５０                  屈曲促進部
６０                  端面トリガ部
６２，６４，６６      切り込み
２６１                第１端面トリガ部
２６２                第２端面トリガ部
３１１，３２１        蓋部
３１２，３２２        差込片
Ｆ１〜Ｆ１４          折り目線
Ｘ                    前後方向（第１方向）
Ｙ                    横方向（第２方向）
Ｚ                    高さ方向（第３方向）
【図１】
2018016324.tif 000003
【図２】
2018016324.tif 000004
【図３】
2018016324.tif 000005
【図４】
2018016324.tif 000006
【図５】
2018016324.tif 000007
【図６】
2018016324.tif 000008
【図７】
2018016324.tif 000009
【図８】
2018016324.tif 000010
【図９】
2018016324.tif 000011
【図１０】
2018016324.tif 000012
【図１１】
2018016324.tif 000013
【図１２】
2018016324.tif 000014
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
第１方向に対向する正面部及び背面部、並びに、前記第１方向に直角な第２方向に対向する一対の側面部を有する周壁部と、
前記第１方向及び前記第２方向に直角な第３方向の一端側において前記周壁部の開口端部を塞ぐ第１端面部と、
前記第３方向の他端側において前記周壁部の開口端部を塞ぐ第２端面部と、を備えた包装箱であって、
前記一対の側面部の各表面における前記第１方向の中央部において、前記第３方向の全長の一部に凹状又は凸状の側面トリガ部が設けられ、
前記第２端面部の表面における前記第１方向の中央部において、前記第２方向の全長の一部に凹状又は凸状の端面トリガ部が設けられ、
前記第２端面部は、前記正面部又は前記背面部のいずれか一方における前記第３方向の端部に連なる内蓋と、前記正面部又は前記背面部のいずれか他方における前記第３方向の端部に連なる外蓋とを有し、
前記外蓋に、前記端面トリガ部が設けられ、
前記内蓋における前記端面トリガ部に重なる部分に、前記第２方向に延びるミシン目状の切り込み又は直線状のハーフカットが形成されていることを特徴とする包装箱。
【請求項２】
前記内蓋は、前記第１方向における前記切り込み又は前記ハーフカットよりも基端側の部分のみにおいて前記外蓋に接着されていることを特徴とする請求項１に記載の包装箱。
【請求項３】
前記第１端面部及び前記第２端面部のうち第１端面部側のみに、前記周壁部の開口端部を開放するための切取線が設けられていることを特徴とする請求項１又は請求項２のいずれか１項に記載の包装箱。
【請求項４】
前記端面トリガ部は、前記外蓋の表面における前記第２方向の一端と中央との間の部分から他端と中央との間の部分にかけて前記第２方向に沿って直線状に延びるように形成されていることを特徴とする請求項１から請求項３のいずれか１項に記載の包装箱。
【請求項５】
前記端面トリガ部は、前記外蓋の表面における前記第２方向の一端と中央との間の部分から前記第２方向の一端側に向かってＶ字状に拡がるように延びる第１端面トリガ部と、前記外蓋の表面における前記第２方向の他端と中央との間の部分から前記第２方向の他端側に向かってＶ字状に拡がるように延びる第２端面トリガ部とを有することを特徴とする請求項１から請求項３のいずれか１項に記載の包装箱。
【請求項６】
前記第１端面部と前記第２端面部は、前記一対の側面部の前記第３方向の端部に連なる一対のサイドフラップと、該一対のサイドフラップの外側に重ねられる蓋とをそれぞれ有し、
前記サイドフラップのそれぞれには、前記第１端面部及び前記第２端面部における前記第１方向の中央部において前記第２方向に延びるミシン目状の切り込み又は直線状のハーフカットが形成されていることを特徴とする請求項１から請求項５のいずれか１項に記載の包装箱。
【請求項７】
前記一対の側面部の各表面における前記第２端面部の前記サイドフラップとの境界に隣接する部分に、前記第１方向の中央部から前記第３方向の前記第２端面部側に向かってＶ字状に拡がるように延びる凹状又は凸状の屈曲促進部が設けられていることを特徴とする請求項６に記載の包装箱。
【請求項８】
第１方向に対向する正面部及び背面部、並びに、前記第１方向に直角な第２方向に対向する一対の側面部を有する周壁部と、
前記第１方向及び前記第２方向に直角な第３方向の一端側において前記周壁部の開口端部を塞ぐ第１端面部と、
前記第３方向の他端側において前記周壁部の開口端部を塞ぐ第２端面部と、を備えた包装箱であって、
前記一対の側面部の各表面における前記第１方向の中央部において、前記第３方向の全長の一部に凹状又は凸状の側面トリガ部が設けられ、
前記第２端面部の表面における前記第１方向の中央部において、前記第２方向の全長の一部に凹状又は凸状の端面トリガ部が設けられ、
前記側面トリガ部は、前記第３方向において相互に間隔を空けて配置され且つそれぞれ前記第３方向に延びるように形成された第１及び第２側面トリガ部を有し、
前記一対の側面部の各表面において、前記第３方向の中央部を挟んだ一方側に前記第１側面トリガ部が配置され、他方側に前記第２側面トリガ部が配置され、
前記一対の側面部の各表面における前記第１側面トリガ部と前記第２側面トリガ部との間の部分に、前記第１方向に延びる凹状又は凸状の屈曲抑制部が設けられていることを特徴とする包装箱。
【請求項９】
前記屈曲抑制部は、前記一対の側面部の各表面における前記第３方向の中央部を挟んだ一方側及び他方側のそれぞれに設けられていることを特徴とする請求項８に記載の包装箱。
【請求項１０】
前記第２端面部は、前記正面部又は前記背面部のいずれか一方における前記第３方向の端部に連なる内蓋と、前記正面部又は前記背面部のいずれか他方における前記第３方向の端部に連なる外蓋とを有し、
前記外蓋に、前記端面トリガ部が設けられ、
前記内蓋における前記端面トリガ部に重なる部分に、前記第２方向に延びるミシン目状の切り込み又は直線状のハーフカットが形成されていることを特徴とする請求項８又は請求項９に記載の包装箱。
【請求項１１】
前記第１端面部と前記第２端面部は、前記一対の側面部の前記第３方向の端部に連なる一対のサイドフラップと、該一対のサイドフラップの外側に重ねられる蓋とをそれぞれ有し、
前記サイドフラップのそれぞれには、前記第１端面部及び前記第２端面部における前記第１方向の中央部において前記第２方向に延びるミシン目状の切り込み又は直線状のハーフカットが形成されていることを特徴とする請求項８から請求項１０のいずれか１項に記載の包装箱。
【手続補正２】
【補正対象書類名】明細書
【補正対象項目名】全文
【補正方法】変更
【補正の内容】
【発明の詳細な説明】
【技術分野】
【０００１】
本発明は、開封されて内容物が取り出された後に、折り畳まれた状態で廃棄される包装箱に関する。
【背景技術】
【０００２】
正面部、背面部及び一対の側面部からなる角筒状の周壁部と、該周壁部の開口端面を塞ぐ一対の端面部とを有する包装箱の種類として、シールエンドカートン及びタックエンドカートン等が知られている。
【０００３】
例えば、シールエンドカートンの各端面部は、側面部に連なる一対のサイドフラップ、正面部又は背面部のいずれか一方に連なる内蓋、及び、正面部又は背面部のいずれか他方に連なる外蓋で構成され、一対のサイドフラップの外側に内蓋と外蓋が順に重ねられ、内蓋の外側の面に外蓋が接着されることで、端面部が封止される。
【０００４】
また、タックエンドカートンの各端面部は、側面部に連なる一対のサイドフラップ、及び、正面部又は背面部のいずれか一方に連なる蓋で構成され、一対のサイドフラップの外側に蓋が重ねられ、蓋の先端に設けられた差込片が周壁部の内側に差し込まれることで、蓋が閉じられる。各蓋の差込片は周壁部に接着されることがあり、これにより、タックエンドカートンの両端面部が封止される。
【０００５】
これらの包装箱の上端側には開封用の切取線が設けられることがあり、この場合、該切取線に沿って蓋を正面部又は背面部から切り離すことで、包装箱を簡単に開封することができる。
【０００６】
また、特許文献１を含む多くの文献に開示されているように、包装箱の下端側にも同様の切取線が設けられることがある。この種の包装箱において、その上端側が既に開封された状態で、更に下端側の切取線に沿って蓋が正面部又は背面部から切り離されると、両側の蓋が開いた状態となる。
【０００７】
この状態では、蓋を介した正面部と背面部との連結が解除されており、これにより、周壁部の４つのコーナ部の折り曲げ角度を０°〜１８０°の角度範囲に亘って簡単に変えることが可能になる。そのため、対角線上に位置する一対のコーナ部の折り曲げ角度が０°、残り一対のコーナ部の折り曲げ角度が１８０°となるように、包装箱を簡単に扁平状に折り畳むことができる。したがって、このように折り畳まれた複数の包装箱を重ね合わせることで、全体としてコンパクトに廃棄することが可能になる。
【先行技術文献】
【特許文献】
【０００８】
【特許文献１】特開２０１３−２２７０３６号公報
【発明の概要】
【発明が解決しようとする課題】
【０００９】
しかしながら、上端側の切り取りによって既に開封された包装箱を、折り畳みのためにわざわざ下端側においても同様の切り取りを行って両側の蓋を開く作業は、ユーザに煩わしさを感じさせることがある。特に、調剤薬局等において一日に多数の包装箱を開封して廃棄する作業には時間と手間がかかり、切り取り作業を何度も繰り返す作業者が爪を痛めやすい問題もある。
【００１０】
また、下端側の蓋が閉じられたままの状態で包装箱を簡単に折り畳めるようにするために、折り畳み用の折り目を周壁部や下端側の蓋に予め形成しておくことも考えられるが、この場合、未開封の使用状態においても、折り畳み用の折り目に沿って折れ曲がるように包装箱が変形しやすくなってしまう。そのため、未開封の包装箱に外力が加えられたときに、包装箱の変形によって内容物に荷重が加わりやすくなり、例えば、ＰＴＰシートのアルミ箔が破れるなどの不具合が生じ得る。
【００１１】
そこで、本発明は、使用状態での変形を抑制しつつ、簡単且つコンパクトに廃棄できる包装箱を提供することを課題とする。
【課題を解決するための手段】
【００１２】
上記課題を解決するため、本発明に係る包装箱は以下のように構成される。
本発明の第１の態様は、
第１方向に対向する正面部及び背面部、並びに、前記第１方向に直角な第２方向に対向する一対の側面部を有する周壁部と、
前記第１方向及び前記第２方向に直角な第３方向の一端側において前記周壁部の開口端部を塞ぐ第１端面部と、
前記第３方向の他端側において前記周壁部の開口端部を塞ぐ第２端面部と、を備えた包装箱であって、
前記一対の側面部の各表面における前記第１方向の中央部において、前記第３方向の全長の一部に凹状又は凸状の側面トリガ部が設けられ、
前記第２端面部の表面における前記第１方向の中央部において、前記第２方向の全長の一部に凹状又は凸状の端面トリガ部が設けられ、
前記第２端面部は、前記正面部又は前記背面部のいずれか一方における前記第３方向の端部に連なる内蓋と、前記正面部又は前記背面部のいずれか他方における前記第３方向の端部に連なる外蓋とを有し、
前記外蓋に、前記端面トリガ部が設けられ、
前記内蓋における前記端面トリガ部に重なる部分に、前記第２方向に延びるミシン目状の切り込み又は直線状のハーフカットが形成されていることを特徴とする。
【００１３】
なお、本明細書でいう「トリガ部」とは、該トリガ部を有する面において、該面が折り曲げられるきっかけとなる部分を意味し、「トリガ部」には、折れやすくするための処理が施される。折れやすくするための処理の具体例としては、型押しによって溝状の「罫線」を形成する処理等が挙げられる。
【００１４】
この包装箱によれば、使用状態では折り曲げられることがない側面部の第１方向中央部及び第２端面部の第１方向中央部に、側面トリガ部及び端面トリガ部が設けられているため、第１端面部を開放させておけば、第２端面部が閉じられたままの状態でも、第１方向からの力により包装箱が押し潰されるとき、一対の側面部及び第２端面部が、それぞれの第１方向中央部において折り曲げられることで半分に折り畳まれた状態となりやすく、これにより、包装箱が全体として扁平状に押し潰されやすくなる。
【００１５】
そのため、従来のように第１端面部と第２端面部の両方を開放させてから包装箱を折り畳む場合に比べて、第２端面部を開放させる手間と時間を省いて、簡単に包装箱を扁平状に押し潰すことができる。したがって、複数の包装箱を廃棄する際、作業者の負担を軽減しつつ、扁平状に押し潰された複数の包装箱を重ね合わせることで、これらの包装箱をコンパクトに廃棄できる。
【００１６】
また、この包装箱によれば、各側面部における第３方向の全長の一部にしか側面トリガ部が設けられておらず、第２端面部における第２方向の全長の一部にしか端面トリガ部が設けられていないため、第１方向から押し潰そうとする力が包装箱に加えられない限り、各側面部及び第２端面部は容易には屈曲変形しない。そのため、使用状態における包装箱の変形が抑制され、内容物を効果的に保護することができる。
【００１７】
そしてまた、この包装箱によれば、包装箱が押し潰されるとき、第２端面部の外蓋は、上記の端面トリガ部が設けられていることにより第１方向中央部での屈曲変形が促進され、第２端面部の内蓋は、その第１方向中央部におけるミシン目状の切り込み又は直線状のハーフカットに沿った屈曲変形が効果的に促進される。そのため、第２方向に連続するコーナ部が新たに形成されるような第２端面部の折り畳みを効果的に促進できる。また、外観を損ねやすい切り込み又はハーフカットが設けられた内蓋は、使用状態において外蓋に覆われるため、包装箱の外観を損ねることを防止できる。
【００１８】
本発明の第１の態様において、
前記内蓋は、前記第１方向における前記切り込み又は前記ハーフカットよりも基端側の部分のみにおいて前記外蓋に接着されてもよい。
【００１９】
この場合、上記のように一対の側面部と第２端面部の内蓋及び外蓋とが折り畳まれて包装箱が押し潰された後に、一対の側面部と第２端面部の外蓋とが元のフラットな状態に戻されたとき、第２端面部の内蓋は、その切り込み又はハーフカットよりも基端側部分のみが外蓋に追従し、外蓋に接着されていない先端側部分は、外蓋から立ち上がった状態になりやすい。この状態の包装箱に内容物を収容しようとした場合、内蓋の立ち上がり部分に内容物が干渉することによって、当該包装箱が一旦押し潰された後に再利用されたものであることに気づきやすくなる。そのため、包装箱の再利用が好ましくない場合において、当該再利用を防止することができる。
【００２０】
本発明の第１の態様において、
前記第１端面部及び前記第２端面部のうち第１端面部側のみに、前記周壁部の開口端部を開放するための切取線が設けられてもよい。
【００２１】
この場合、切取線に沿った切り取りにより、第１端面部側において包装箱を簡単に開封できると共に、同様の切取線が第２端面部側に設けられていないことにより、開封時において、ユーザが誤って第２端面部側を開封することを防止できると共に、開封後には、第２端面部が閉じられたままでも簡単に包装箱を扁平状に押し潰せることをユーザに認識させやすい。また、第２端面部側にも切取線が設けられる場合に比べて、包装箱の壁部を貫通する切り込みの削減が図られるため、内容物の保護を効果的に図ることができる。
【００２２】
本発明の第１の態様において、
前記端面トリガ部は、前記外蓋の表面における前記第２方向の一端と中央との間の部分から他端と中央との間の部分にかけて前記第２方向に沿って直線状に延びるように形成されてもよい。
【００２３】
この場合、第２端面部における第２方向両端部には端面トリガ部が設けられていないことにより、使用状態での第２端面部の屈曲変形が効果的に抑制され、これにより、内容物の保護を効果的に図ることができる。また、第２端面部の第２方向中央部を通って第２方向に延びるように端面トリガ部が形成されていることにより、包装箱が押し潰されるとき、第２端面部の第１方向中央部において、第２方向に連続するコーナ部が新たに形成されるような屈曲変形が効果的に促進され、これにより、包装箱を扁平状に押し潰しやすくなる。
【００２４】
本発明の第１の態様において、
前記端面トリガ部は、前記外蓋の表面における前記第２方向の一端と中央との間の部分から前記第２方向の一端側に向かってＶ字状に拡がるように延びる第１端面トリガ部と、前記外蓋の表面における前記第２方向の他端と中央との間の部分から前記第２方向の他端側に向かってＶ字状に拡がるように延びる第２端面トリガ部とを有してもよい。
【００２５】
この場合、第２端面部における第２方向の中央部及び両端部には端面トリガ部が設けられていないことにより、使用状態での第２端面部の屈曲変形が効果的に抑制されることで、内容物の保護を効果的に図ることができる。また、第２端面部の第１方向中央部において、Ｖ字状の第１及び第２端面トリガ部が向かい合うように形成されていることにより、包装箱が押し潰されるとき、第２端面部が第１方向中央部において屈曲変形することが効果的に促進され、これにより、包装箱を扁平状に押し潰しやすくなる。
【００２６】
本発明の第１の態様において、
前記第１端面部と前記第２端面部は、前記一対の側面部の前記第３方向の端部に連なる一対のサイドフラップと、該一対のサイドフラップの外側に重ねられる蓋とをそれぞれ有し、
前記サイドフラップのそれぞれには、前記第１端面部及び前記第２端面部における前記第１方向の中央部において前記第２方向に延びるミシン目状の切り込み又は直線状のハーフカットが形成されてもよい。
【００２７】
この場合、第１端面部と第２端面部に設けられた各サイドフラップの第１方向中央部にミシン目状の切り込み又は直線状のハーフカットが形成されていることにより、各サイドフラップを側面部と共に屈曲変形させやすくなる。また、外観を損ねやすい切り込み又はハーフカットが設けられた各サイドフラップは、使用状態において蓋に覆われるため、包装箱の外観を損ねることを防止できる。
【００２８】
この場合において、
前記一対の側面部の各表面における前記第２端面部の前記サイドフラップとの境界に隣接する部分に、前記第１方向の中央部から前記第３方向の前記第２端面部側に向かってＶ字状に拡がるように延びる凹状又は凸状の屈曲促進部が設けられてもよい。
【００２９】
なお、本明細書でいう「屈曲促進部」とは、該屈曲促進部を有する面において、折れやすくするための処理が施された部分を意味する。折れやすくするための処理の具体例としては、型押しによって溝状の「罫線」を形成する処理等が挙げられる。
【００３０】
これにより、側面部全体が第１方向中央部で屈曲変形するとき、側面部における第２端面部のサイドフラップとの境界に隣接する部分が、Ｖ字状の屈曲促進部に沿った屈曲により内側に折り込まれることに伴って、サイドフラップ全体が側面部の内側に折り重ねられることを促すことができる。そのため、側面部の屈曲変形がサイドフラップによって阻害されることを抑制でき、これにより、包装箱全体を円滑に押し潰すことができる。
【００３１】
本発明の第２の態様によれば、
第１方向に対向する正面部及び背面部、並びに、前記第１方向に直角な第２方向に対向する一対の側面部を有する周壁部と、
前記第１方向及び前記第２方向に直角な第３方向の一端側において前記周壁部の開口端部を塞ぐ第１端面部と、
前記第３方向の他端側において前記周壁部の開口端部を塞ぐ第２端面部と、を備えた包装箱であって、
前記一対の側面部の各表面における前記第１方向の中央部において、前記第３方向の全長の一部に凹状又は凸状の側面トリガ部が設けられ、
前記第２端面部の表面における前記第１方向の中央部において、前記第２方向の全長の一部に凹状又は凸状の端面トリガ部が設けられ、
前記側面トリガ部は、前記第３方向において相互に間隔を空けて配置され且つそれぞれ前記第３方向に延びるように形成された第１及び第２側面トリガ部を有し、
前記一対の側面部の各表面において、前記第３方向の中央部を挟んだ一方側に前記第１側面トリガ部が配置され、他方側に前記第２側面トリガ部が配置され、
前記一対の側面部の各表面における前記第１側面トリガ部と前記第２側面トリガ部との間の部分に、前記第１方向に延びる凹状又は凸状の屈曲抑制部が設けられていることを特徴とする。
【００３２】
この場合において、
前記屈曲抑制部は、前記一対の側面部の各表面における前記第３方向の中央部を挟んだ一方側及び他方側のそれぞれに設けられてもよい。
【００３３】
この包装箱によれば、使用状態では折り曲げられることがない側面部の第１方向中央部及び第２端面部の第１方向中央部に、側面トリガ部及び端面トリガ部が設けられているため、第１端面部を開放させておけば、第２端面部が閉じられたままの状態でも、第１方向からの力により包装箱が押し潰されるとき、一対の側面部及び第２端面部が、それぞれの第１方向中央部において折り曲げられることで半分に折り畳まれた状態となりやすく、これにより、包装箱が全体として扁平状に押し潰されやすくなる。
【００３４】
そのため、従来のように第１端面部と第２端面部の両方を開放させてから包装箱を折り畳む場合に比べて、第２端面部を開放させる手間と時間を省いて、簡単に包装箱を扁平状に押し潰すことができる。したがって、複数の包装箱を廃棄する際、作業者の負担を軽減しつつ、扁平状に押し潰された複数の包装箱を重ね合わせることで、これらの包装箱をコンパクトに廃棄できる。
【００３５】
また、この包装箱によれば、各側面部における第３方向の全長の一部にしか側面トリガ部が設けられておらず、第２端面部における第２方向の全長の一部にしか端面トリガ部が設けられていないため、第１方向から押し潰そうとする力が包装箱に加えられない限り、各側面部及び第２端面部は容易には屈曲変形しない。そのため、使用状態における包装箱の変形が抑制され、内容物を効果的に保護することができる。
【００３６】
そしてまた、この包装箱によれば、各側面部における第３方向中央部には側面トリガ部が設けられていないことにより、使用状態での側面部の屈曲変形が効果的に抑制されることで、内容物の保護を効果的に図ることができる。また、第３方向中央部を挟んだ一方側及び他方側において、第１及び第２側面トリガ部がそれぞれ第３方向に延びるように形成されていることにより、包装箱が押し潰されるとき、側面部の第１方向中央部において、第３方向に連続するコーナ部が新たに形成されるような屈曲変形が効果的に促進され、これにより、包装箱を扁平状に押し潰しやすくなる。
【００３７】
第１方向に延びる屈曲抑制部が各側面部に設けられることにより、使用状態において、第１方向から荷重が入力されたときの側面部の屈曲変形がより効果的に抑制され、これにより、内容物の保護をより効果的に図ることができる。
【００３８】
本発明の第２の態様において、
前記第２端面部は、前記正面部又は前記背面部のいずれか一方における前記第３方向の端部に連なる内蓋と、前記正面部又は前記背面部のいずれか他方における前記第３方向の端部に連なる外蓋とを有し、
前記外蓋に、前記端面トリガ部が設けられ、
前記内蓋における前記端面トリガ部に重なる部分に、前記第２方向に延びるミシン目状の切り込み又は直線状のハーフカットが形成されてもよい。
【００３９】
この場合、包装箱が押し潰されるとき、第２端面部の外蓋は、上記の端面トリガ部が設けられていることにより第１方向中央部での屈曲変形が促進され、第２端面部の内蓋は、その第１方向中央部におけるミシン目状の切り込み又は直線状のハーフカットに沿った屈曲変形が効果的に促進される。そのため、第２方向に連続するコーナ部が新たに形成されるような第２端面部の折り畳みを効果的に促進できる。また、外観を損ねやすい切り込み又はハーフカットが設けられた内蓋は、使用状態において外蓋に覆われるため、包装箱の外観を損ねることを防止できる。
【００４０】
本発明の第２の態様において、
前記第１端面部と前記第２端面部は、前記一対の側面部の前記第３方向の端部に連なる一対のサイドフラップと、該一対のサイドフラップの外側に重ねられる蓋とをそれぞれ有し、
前記サイドフラップのそれぞれには、前記第１端面部及び前記第２端面部における前記第１方向の中央部において前記第２方向に延びるミシン目状の切り込み又は直線状のハーフカットが形成されてもよい。
【００４１】
この場合、第１端面部と第２端面部に設けられた各サイドフラップの第１方向中央部にミシン目状の切り込み又は直線状のハーフカットが形成されていることにより、各サイドフラップを側面部と共に屈曲変形させやすくなる。また、外観を損ねやすい切り込み又はハーフカットが設けられた各サイドフラップは、使用状態において蓋に覆われるため、包装箱の外観を損ねることを防止できる。
【発明の効果】
【００４２】
本発明によれば、使用状態での包装箱の変形を抑制しつつ、使用後は、第２端面部を開放させることなく簡単に包装箱を扁平状に押し潰すことができる。したがって、作業者の負担を軽減しつつ、複数の包装箱を全体としてコンパクトに廃棄できる。
【図面の簡単な説明】
【００４３】
【図１】第１の実施形態に係る包装箱を示す斜視図である。
【図２】同包装箱を別の方向から見た斜視図である。
【図３】封止前の同包装箱を示す斜視図である。
【図４】同包装箱を構成するブランクシートを示す平面図である。
【図５】同ブランクシートの一部の断面形状を示す図４のＡ−Ａ線断面図である。
【図６】使用後の同包装箱の潰し方を示す斜視図である。
【図７】押し潰された状態の同包装箱を示す斜視図である。
【図８】押し潰された同包装箱の内部を示す図７のＢ−Ｂ線断面図である。
【図９】押し潰された同包装箱の内部を示す図７のＣ−Ｃ線断面図である。
【図１０】押し潰す前の形状に復元しようとした状態の同包装箱の内部を示す図９と同様の断面図である。
【図１１】第２の実施形態に係る包装箱を示す図２と同様の斜視図である。
【図１２】第３の実施形態に係る包装箱を示す図３と同様の斜視図である。
【発明を実施するための形態】
【００４４】
以下、図面を参照しながら、本発明の実施形態について説明する。
【００４５】
なお、以下の実施形態の説明において、「上」、「下」、「左」、「右」、「正面」、「背面」、「高さ」、「横」、「前後」等の方向を示す用語は、特段の説明がある場合を除いて、組み立てられて封止された状態の包装箱を正面側から見た場合の方向を指すものとする。
【００４６】
また、以下の説明で用いる「前後方向Ｘ」、「横方向Ｙ」、「高さ方向Ｚ」という各用語は、それぞれ、特許請求の範囲の「第１方向」、「第２方向」、「第３方向」に対応するものである。
【００４７】
さらに、本明細書において、単に「外側」又は「内側」という場合、これらの用語は、包装箱の「外側」又は「内側」を意味する。
【００４８】
［第１の実施形態］
図１から図３に示すように、第１の実施形態に係る包装箱１は、高さ方向Ｚに延びて両端に開口部を有する角筒状の周壁部４と、周壁部４の上端に連なる４枚のフラップ１１，１２，１３，１４と、周壁部４の下端に連なる４枚のフラップ２１，２２，２３，２４とを備える。
【００４９】
周壁部４は、正面部５と、前後方向Ｘにおいて正面部５の背面側に対向する背面部６と、横方向Ｙにおいて相互に対向し、それぞれ正面部５と背面部６に跨がる第１側面部７及び第２側面部８と、を有する。正面部５及び背面部６は、互いに平行に配置され、横方向Ｙにおいて互いに等しい幅を有する。第１側面部７及び第２側面部８は、互いに平行に配置され、前後方向Ｘにおいて互いに等しい幅を有する。第１側面部７及び第２側面部８の前後方向Ｘの幅は、正面部５及び背面部６の横方向Ｙの幅よりも小さい。
【００５０】
上側のフラップ１１，１２，１３，１４は、具体的には、正面部５の上端に連なる第１フラップとしての内蓋１１、背面部の上端に連なる第２フラップとしての外蓋１２、第１側面部７の上端に連なるサイドフラップ１３、及び、第２側面部８の上端に連なるサイドフラップ１４である。
【００５１】
上側の４枚のフラップ１１〜１４は、内側から、一対のサイドフラップ１３，１４、内蓋１１、外蓋１２の順で重なるように折り込まれる。一対のサイドフラップ１３，１４は、折り込まれた状態において互いに干渉せず、これらのサイドフラップ１３，１４の先端部間には隙間が生じる。内蓋１１は、サイドフラップ１３，１４の外側に固定されることなく折り重ねられる。内蓋１１は、先端に向かうに従って僅かに細くなる台形状であり、周壁部４の上側開口部の大部分を塞ぐような大きさを有する。外蓋１２は、内蓋１１とは反対側から周壁部４の上端開口部を塞ぐように折り込まれ、内蓋１１の外側に重ねられて例えば接着により固定される。外蓋１２は、先端に向かうに従って僅かに細くなる台形状であり、周壁部４の上側開口部の大部分を塞ぐような大きさを有する。
【００５２】
周壁部４の上端開口部は、周壁部４のフラップ１１〜１４が折り重ねられることで完全に塞がれて、これらのフラップ１１〜１４により、包装箱１の上面部としての第１端面部１０が構成される。第１端面部１０は、内蓋１１と外蓋１２とが接着されることで封止される。
【００５３】
下側のフラップ２１，２２，２３，２４は、具体的には、正面部５の下端に連なる内蓋２１、背面部６の下端に連なる外蓋２２、第１側面部７の下端に連なるサイドフラップ２３、及び、第２側面部８の下端に連なるサイドフラップ２４である。
【００５４】
下側の内蓋２１、外蓋２２及び一対のサイドフラップ２３，２４の構成は、それぞれ、上側の内蓋１１、外蓋１２及び一対のサイドフラップ１３，１４と同様である。下側のフラップ２１〜２４は、内側から、一対のサイドフラップ２３，２４、内蓋２１、外蓋２２の順で重なるように折り込まれる。内蓋２１は、サイドフラップ２３，２４の外側に固定されることなく折り重ねられる。内蓋２１と外蓋２２とは例えば接着により互いに固定される。
【００５５】
これら４枚のフラップ２１〜２４によって、周壁部４の下端開口部は、完全に塞がれた状態で封止される。これらのフラップ２１〜２４により、包装箱１の底面部としての第２端面部２０が構成される。
【００５６】
以上のように、包装箱１は、第１及び第２端面部１０，２０がそれぞれ４枚のフラップによって封止されるシールエンドカートンである。第１及び第２端面部１０，２０が封止された状態における包装箱１は、略直方体の全体形状を有する。
【００５７】
包装箱１は、図４に示すような厚紙からなるブランクシート２を折り曲げることで組み立てられる紙カートンである。なお、図４は、包装箱１を構成する各部５，６，７，８，９，１１，１２，１３，１４，２１，２２，２３，２４の外側から見たブランクシート２の平面図である。
【００５８】
図４に示すブランクシート２では、図４における左側から順に、固定面部９、正面部５、第１側面部７、背面部６、第２側面部８が、高さ方向Ｚに延びる凹状の折り目線Ｆ１〜Ｆ４を介して連ねて設けられている。
【００５９】
第１側面部７の上側には、水平方向に延びる凹状の折り目線Ｆ５を介して上側のサイドフラップ１３が連なり、第１側面部７の下側には、水平方向に延びる凹状の折り目線Ｆ６を介して下側のサイドフラップ２３が連なっている。
【００６０】
第２側面部８の上側には、水平方向に延びる凹状の折り目線Ｆ７を介して上側のサイドフラップ１４が連なり、第２側面部８の下側には、水平方向に延びる凹状の折り目線Ｆ８を介して下側のサイドフラップ２４が連なっている。
【００６１】
第１及び第２側面部７，８には、それぞれ後述の側面トリガ部４１，４２、屈曲抑制部４４，４５及び屈曲促進部５０が設けられている。また、各サイドフラップ１３，１４，２３，２４には、後述の切り込み６４，６６が設けられている。
【００６２】
背面部６の上側には、水平方向に延びる凹状の折り目線Ｆ９を介して上側の外蓋１２が連なり、背面部６の下側には、水平方向に延びる凹状の折り目線Ｆ１０を介して下側の外蓋２２が連なっている。下側の外蓋２２には後述の端面トリガ部６０が設けられている。
【００６３】
正面部５の上側には、水平方向に延びる凹状の折り目線Ｆ１１を介して上側の内蓋１１が連なり、正面部５の下側には、水平方向に延びる凹状の折り目線Ｆ１２を介して下側の内蓋２１が連なっている。正面部５の上縁部には、後述の切取線３０と被押圧部５ａが設けられている。下側の内蓋２１には後述の切り込み６２が設けられている。
【００６４】
図５は、折り目線Ｆ４及び後述の第１側面トリガ部４１の断面形状を示す図４のＡ−Ａ線断面図である。図５に示すように、折り目線Ｆ４及び第１側面トリガ部４１は、ブランクシート２の外側の面から見て凹状に形成されている。図５での図示は省略されているが、その他の折り目線Ｆ１〜Ｆ３，Ｆ５〜Ｆ１２、並びに、後述の第２側面トリガ部４２、屈曲抑制部４４，４５、屈曲促進部５０及び端面トリガ部６０も、同様の凹状に形成されている。これらの凹状部４１，４２，４４，４５，５０，６０，Ｆ１〜Ｆ１２は、型押しによって形成された溝状の罫線で構成されている。
【００６５】
続いて、図４に示すブランクシート２を用いて包装箱１を組み立てる手順について説明する。
【００６６】
まず、第２側面部８と背面部６の間の折り目線Ｆ４に沿って折り曲げ、第１側面部７と正面部５の間の折り目線Ｆ２に沿って折り曲げ、糊部３２によって第２側面部８の内面と固定面部９の外面とを接着する。これにより、折り畳み状態の包装箱１が完成する。
【００６７】
その後、高さ方向Ｚに延びる折り目線Ｆ１〜Ｆ４に沿った周壁部４の４つのコーナを略直角に起こすと、図３に示すように第１端面部１０及び第２端面部２０が開放した状態の包装箱１が形成される。
【００６８】
続いて、上側のフラップ１１〜１４及び下側のフラップ２１〜２４を上述のように折り重ねて、それぞれの内蓋１１，２１に外蓋１２，２２を接着することで、包装箱１の第１端面部１０及び第２端面部２０が封止されて、図１に示す封止状態の包装箱１が完成する。
【００６９】
上述のように、本実施形態の包装箱１はシールエンドカートンであるため、第１及び第２端面部１０，２０を閉じるとき、タックエンドカートンの端面を閉じるときに行われるような差し込みフラップの差し込み工程が不要である。そのため、包装箱１の第１及び第２端面部１０，２０を自動包装機によって簡単かつ迅速に閉じることができる。
【００７０】
以上のように組み立てられた包装箱１は、正面部５に設けられた切取線３０に沿って正面部５を破ることで開封される。
【００７１】
切取線３０は、ミシン目状に並ぶ複数の切り込みで構成されている。切取線３０は、正面部５の上左端から正面部５の上縁に沿って横方向Ｙ右側へ延びる第１直線部３０ａと、正面部５の右上端から正面部５の上縁に沿って横方向Ｙ左側へ延びる第２直線部３０ｂと、第１直線部３０ａの右端から正面部５の上縁を下側へ膨出するように迂回して第２直線部３０ｂの左端まで延びる膨出部３０ｃとを有する。
【００７２】
これにより、正面部５の内蓋１１との境界近傍かつ横方向Ｙの中央部に、正面部５の上縁と切取線３０の膨出部３０ｃとで囲まれた略台形状の被押圧部５ａが形成されている。
【００７３】
ただし、切取線３０の構成は、上述のものに限定されるものでなく、種々の変更が可能である。例えば、ジッパ状に配置された複数の切り込みで切取線３０が構成されてもよい。
【００７４】
包装箱１を開封する人の指によって被押圧部５ａが外側から押し込まれると、被押圧部５ａは、切取線３０の膨出部３０ｃに沿って正面部５から切り離される。さらに、正面部５から切り離された被押圧部５ａが内蓋１１と共に上方に引き上げられると、内蓋１１は、切取線３０の第１及び第２直線部３０ａ，３０ｂに沿って正面部５から切り離される。
【００７５】
図６に示すように、外蓋１２に接着された内蓋１１が上記のように正面部５から切り離されると、内蓋１１を介して正面部５に拘束されていた外蓋１２を開くことができる（図６参照）。これにより、包装箱１は、第１端面部１０が開放された開封状態となる。開封状態において、内蓋１１及びこれに連なる被押圧部５ａは、外蓋１２を介して背面部６に連なる状態となる。
【００７６】
開封された包装箱１は、第２端面部２０が閉じられたままの状態でも、前後方向Ｘからの外力によって、簡単に扁平状に押し潰され得る（図７参照）。
【００７７】
以下、包装箱１を扁平状に押し潰しやすくするための構成について説明する。
【００７８】
図１〜図３に示すように、第１側面部７及び第２側面部８各表面における前後方向Ｘの中央部には、側面トリガ部４１，４２が設けられている。側面トリガ部４１，４２は、高さ方向Ｚにおける第１側面部７及び第２側面部８の各表面の全長の一部に設けられている。
【００７９】
側面トリガ部４１，４２は、高さ方向Ｚにおいて相互に間隔を開けて配置された第１側面トリガ部４１及び第２側面トリガ部４２で構成されている。各側面トリガ部４１，４２は、高さ方向Ｚに延びる凹状の溝部で構成されている。第１側面トリガ部４１及び第２側面トリガ部４２のそれぞれにおいて、高さ方向Ｚの中央よりも上側に第１側面トリガ部４１が設けられ、高さ方向Ｚの中央よりも下側に第２側面トリガ部４２が設けられている。
【００８０】
第１側面トリガ部４１と第２側面トリガ部４２は、略等しい長さを有する。高さ方向Ｚにおける第１側面トリガ部４１と第２側面トリガ部４２との間隔は、各側面トリガ部４１，４２の長さよりも短い。高さ方向Ｚにおいて、第１側面部７及び第２側面部８の上端と第１側面トリガ部４１の上端との間隔、及び、第１側面部７及び第２側面部８の下端と第２側面トリガ部４２の下端との間隔は、第１側面トリガ部４１と第２側面トリガ部４２との間隔よりも短い。
【００８１】
第１側面トリガ部４１及び第２側面トリガ部４２のそれぞれにおいて、第１側面トリガ部４１，４１と第２側面トリガ部４２，４２との間の部分に、屈曲抑制部４４，４５が設けられている。屈曲抑制部４４，４５は、高さ方向Ｚにおいて相互に間隔を空けて配置された第１屈曲抑制部４４及び第２屈曲抑制部４５で構成されている。各屈曲抑制部４４，４５は、前後方向Ｘに延びる凹状の溝部で構成されている。第１屈曲抑制部４４の長さ方向中央部は、第１側面トリガ部４１の下端に接しており、第２屈曲抑制部４５の長さ方向中央部は、第２側面トリガ部４２の上端に接している。
【００８２】
第１屈曲抑制部４４と第２屈曲抑制部４５は、略等しい長さを有する。第１及び第２屈曲抑制部４４，４５の長さは、前後方向Ｘにおける第１側面部７及び第２側面部８の幅の半分よりも短い。また、第１及び第２屈曲抑制部４４，４５の長さは、高さ方向Ｚにおける第１側面トリガ部４１と第２側面トリガ部４２との間隔よりも短い。
【００８３】
また、第１側面部７及び第２側面部８の各下端部、すなわち、第２端面部２０のサイドフラップ２３，２４との境界に隣接する部分に、屈曲促進部５０が設けられている。屈曲促進部５０は、第１側面部７及び第２側面部８における前後方向Ｘの各中央部から高さ方向Ｚの第２端面部２０側に向かってＶ字状に拡がるように延びる凹状の溝部で構成されている。
【００８４】
図３に示すように、第１端面部１０のサイドフラップ１３，１４には、サイドフラップ１３，１４が第１側面部７及び第２側面部８に平行に配置された状態において高さ方向Ｚに延びるミシン目状の切り込み６４が形成されている。なお、図３においては、一方のサイドフラップ１３の切り込み６４のみが図示されているが、他方のサイドフラップ１４にも同様の切り込み６４が形成されている。切り込み６４は、第１端面部１０における前後方向Ｘ中央部に配置されている。
【００８５】
第２端面部２０のサイドフラップ２３，２４にも同様の切り込み６６が形成されている。なお、図３においては、一方のサイドフラップ２３の切り込み６６のみが図示されているが、他方のサイドフラップ２４にも同様の切り込み６６が形成されている。
【００８６】
切り込み６６は、第２端面部２０が閉じられた状態、すなわちサイドフラップ２３，２４が第１及び第２側面部７，８に直角に配置された状態において横方向Ｙに延びるミシン目状に形成されている。切り込み６６は、第２端面部２０における前後方向Ｘ中央部に配置されている。
【００８７】
なお、第１端面部１０及び第２端面部２０の各サイドフラップ１３，１４，２３，２４において、切り込み６４，６６に代えて、直線状のハーフカットが形成されるようにしてもよい。
【００８８】
第２端面部２０の外蓋２２には、図２に示すように、端面トリガ部６０が設けられている。端面トリガ部６０は、外蓋２２の表面において横方向Ｙに沿って直線状に延びる凹状の溝部で構成されている。端面トリガ部６０は、外蓋２２の前後方向Ｘの中央部に配置されている。横方向Ｙに関して、端面トリガ部６０の右端は、外蓋２２の右端と中央との間に位置し、端面トリガ部６０の左端は、外蓋２２の左端と中央との間に位置する。すなわち、端面トリガ部６０は、外蓋２２における横方向Ｙの一端部と中央部の間の部分から他端部と中央部の間の部分まで直線状に延びている。
【００８９】
図３に示すように、第２端面部２０の内蓋２１において、外蓋２２の端面トリガ部６０（図２参照）に重なる部分には、横方向Ｙに延びるミシン目状の切り込み６２が形成されている。切り込み６２は、第２端面部２０における前後方向Ｘ中央部に配置されている。切り込み６２は、端面トリガ部６０よりも短く形成されている。横方向Ｙに関して、切り込み６２の右端は端面トリガ部６０の右端よりも中央側に位置し、切り込み２６の左端は端面トリガ部６０の左端よりも中央側に位置する。
【００９０】
第２端面部２０の内蓋２１は、切り込み６２よりも基端側部分のみにおいて外蓋２２に接着され、切り込み６２よりも先端側部分は外蓋２２に拘束されないようになっている。
【００９１】
なお、内蓋２１において、切り込み６２に代えて、直線状のハーフカットが形成されてもよい。
【００９２】
以上のように構成された包装箱１は、以下のように押し潰される。
【００９３】
図６と図７に示すように、本発明の実施形態では、開封されて内容物が取り出されることで使用済みとなった包装箱１を、次のように押し潰すことでコンパクトに廃棄することができる。
【００９４】
具体的には、第１端面部１０が開放されると共に第２端面部２０が閉じられたままの包装箱１を、例えばユーザの手のひら等で正面部５側又は背面部６側から前後方向Ｘに押圧することで、正面部５と背面部６が互いに接近するように、また、一対の側面部７，８及び第２端面部２０は外側に張り出しながら折り畳まれるように、包装箱１を押し潰すことができる。
【００９５】
より具体的には、包装箱１が押し潰されるとき、第１側面部７と第２側面部８は、図７及び図８に示すように、全体的に横方向Ｙ外側に張り出し、且つ、高さ方向Ｚに延びる第１側面トリガ部４１，４１と第２側面トリガ部４２，４２に沿って半分に折り畳まれるように変形する。これにより、各側面部７，８の前後方向Ｘの中央部に、高さ方向Ｚに連続するコーナ部４３，４３が新たに形成される。このとき、各側面部７，８におけるコーナ部４３，４３よりも前後方向Ｘの正面側部分と背面側部分とは、その内面同士が対向するように折り重ねられた状態となる。
【００９６】
また、図７に示すように、上側のサイドフラップ１３，１４は、全体的に横方向Ｙ外側に張り出し、且つ、高さ方向Ｚに延びるミシン目状の切り込み６４，６４に沿って半分に折り畳まれるように変形する。このとき、各サイドフラップ１３，１４における前後方向Ｘ中央部よりも正面側部分と背面側部分とは、その内面同士が対向するように折り重ねられた状態となる。
【００９７】
一方、図７〜図９に示すように、下側のサイドフラップ２３，２４は、各側面部７，８におけるＶ字状の屈曲促進部５０，５０の下側に隣接する部分と共に、屈曲促進部５０，５０に沿って、包装箱１の内側に折り込まれて、側面部７，８における屈曲促進部５０，５０の上側に隣接する部分の内側に重ねられる。
【００９８】
このとき、下側のサイドフラップ２３，２４は、その先端を高さ方向Ｚの上側に変位させながら、ミシン目状の切り込み６６，６６に沿って谷折りに半分に折り畳まれる。これにより、各サイドフラップ２３，２４における前後方向Ｘ中央部よりも正面側部分と背面側部分とは、その外面同士が対向するように折り重ねられた状態となる。このようにして折り畳まれた各サイドフラップ２３，２４は、対応する側面部７，８における上記のコーナ部４３よりも前後方向Ｘの正面側部分と背面側部分との間に挟み込まれる。
【００９９】
図７及び図９に示すように、第２端面部２０の外蓋２２は、横方向Ｙに延びる端面トリガ部６０に沿って半分に折り畳まれるように、且つ、全体的に高さ方向Ｚの外側に拡がるように変形する。第２端面部２０の内蓋２１は、その基端側部分において接着された外蓋２２に追従して、横方向Ｙに延びるミシン目状の切り込み６２に沿って半分に折り畳まれるように、且つ、全体的に高さ方向Ｚの外側に拡がるように変形する。このとき、内蓋２１における切り込み２６よりも前後方向Ｘの正面側部分と背面側部分とは、その内面同士が対向するように折り重ねられた状態となる。
【０１００】
これにより、第２端面部２０の前後方向Ｘの中央部に、横方向Ｙに連続するコーナ部６３が新たに形成される。
【０１０１】
以上のように、包装箱１の第１端面部１０のみを開放しておけば、第２端面部２０を閉じたままでも、前後方向Ｘからの押圧によって、上述した各側面トリガ部４１，４２、屈曲促進部５０及び端面トリガ部６０での屈曲が促進されることで、包装箱１を容易に押し潰すことが出来る。
【０１０２】
そのため、従来のように両端面部を開放させてから包装箱を折り畳む場合に比べ、第２端面部２０を開放させる手間と時間を省いて、簡単に包装箱を偏平状に押しつぶすことができる。したがって、複数の包装箱１を破棄する際、作業者の負担を軽減しつつ、偏平状に押しつぶされた複数の包装箱１を重ねることで、これらの包装箱１をコンパクトに廃棄できる。
【０１０３】
また、上述したように、一対の側面部７,８と第２端面部２０はそれぞれ外側に張り出した状態で半分に折り畳まれる。
【０１０４】
仮に側面部７，８と第２端面部２０が周壁部４の内側に入り込むように折り畳まれる場合、折り畳まれた側面部７，８及び第２端面部２０が正面部５と背面部６との間に介在することになると共に、各側面部７，８と正面部５及び背面部６との間の各コーナ部、第２端面部２０と正面部５及び背面部６との間の各コーナ部、並びに、各側面部７，８及び第２端面部２０の折り畳みによって新たに形成されたコーナ部４３，４３，６３の折り曲げ角度はいずれも鋭角になることから、折り畳まれた各側面部７，８と第２端面部２０が元のフラットな形状に戻ろうとする復元力が大きくなり、正面部５と背面部６との間の間隔が拡がりやすくなる。
【０１０５】
これに対して、本実施形態によれば、折り畳まれた一対の側面部７，８及び第２端面部２０が正面部５と背面部６との間に介在しないとともに、各側面部７，８と正面部５及び背面部６との間の各コーナ部、及び、第２端面部２０と正面部５及び背面部６との間のコーナ部の折り曲げ角度が鈍角になることから、各側面部７，８及び第２端面部２０に作用する復元力が小さくなり、正面部５と背面部６との間の間隔が拡がり難く、全体として扁平な状態を維持しやすい。したがって、押しつぶされた複数の包装箱１を重ね合わせたときに、これらの包装箱１を全体的な厚さが小さな状態でまとめやすく、よりコンパクトな状態での廃棄が可能になる。
【０１０６】
また、各側面部７，８の高さ方向Ｚ中央部には側面トリガ部４１，４２が設けられておらず、その代わりに屈曲抑制部４４，４４，４５，４５が設けられているので、使用状態（未開封の状態）における各側面部７，８の屈曲を抑制できる。
【０１０７】
さらに、端面トリガ部６０は、第２端面部２０における横方向Ｙの中央部のみに形成されているので、使用状態における第２端面部２０の屈曲変形が抑制できる。
【０１０８】
このように、前後方向Ｘから押しつぶそうとする力が包装箱１に加えられない限り、各側面部７，８及び第２端面部２０は容易には屈曲変形しないため、包装箱１に収容された内容物を効果的に保護できる。
【０１０９】
また、包装箱１には、正面部５の第１端面部１０側にのみ切取線３０が設けられており、第２端面部２０側には切取線が設けられていないので、ユーザが誤って第２端面部２０側から開封してしまうことを抑制できる。
【０１１０】
これにより、仮に包装箱１内における第１端面部１０側に添付文書等の添付物が封入されている場合、添付物が封入された側からの開封を促すことができる。そのため、第１端面部１０側からの開封時に、ユーザの指と内容物との間に添付物が介在することで、ユーザの指による押圧力が内容物に直接加えられることを抑制したり、内容物の収容状態を維持したままで添付物のみを取り出しやすくなったりする利点がある。
【０１１１】
さらに、切取線３０は第１端面部１０側のみに設けられているので、仮に包装箱１の両端面部１０，２０側に切取線を設ける場合に比べて、包装箱１の内側空間と外側空間とを連通させるように包装箱１の壁部を貫通する切り込み部分の削減を図ることができ、これにより、内容物の保護を効果的に図ることができる。
【０１１２】
また、第２端面部２０側には切取線が設けられていないことにより、第２端面部２０を開放することなく包装箱１を折り畳み可能であることを認識させやすくなるという利点もある。
【０１１３】
さらに、上述したように、第２端面部２０の内蓋２１（図３参照）は、その切り込み６２よりも基端側部分のみにおいて外蓋２２に接着されている（図９参照）。そのため、包装箱１が、図９に示すように押し潰されて折り畳まれるように変形した後に、図１０に示すように押し潰される前の形状に戻されようとするとき、内蓋２１の先端部２１ａは外蓋２２から立ち上がった状態となり、サイドフラップ２３，２４に引っ掛かりやすい。
【０１１４】
したがって、サイドフラップ２３，２４は上側に盛り上がり、内蓋２１と外蓋２２は下側に突出した状態になりやすく、第２端面部２０を元のフラットな形状に完全に戻し難い。そのため、このような状態の包装箱１に再び内容物を収容しようとした場合、上側に盛り上がった第２端面部２０に内容物が干渉することで、当該包装箱１が一旦潰された後に再利用されたものであることを、ユーザに気づかせやすい。よって、包装箱１の再利用が好ましくない場合において、再利用を防止するための注意喚起ができる。
【０１１５】
［第２の実施形態］
図１１を参照しながら、第２の実施形態に係る包装箱２０１について説明する。なお、第２の実施形態において、第１の実施形態と同様の構成及び効果については説明を省略する。また、図１１において、第１の実施形態と同様の機能を有する要素には同符号を付してある。
【０１１６】
図１１に示すように、第２の実施形態に係る包装箱２０１は、第２端面部２０の外蓋２２における端面トリガ部の構成を除けば、第１の実施形態に係る包装箱１（図２参照）と同じ構造を有する。
【０１１７】
第２の実施形態においても、端面トリガ部２６１，２６２は、第２端面部２０の外蓋２２の表面における前後方向Ｘの中央部に設けられている。各端面トリガ部２６１，２６２は、横方向Ｙにおいて相互に間隔を開けて配置された第１端面トリガ部２６１及び第２端面トリガ部２６２で構成されている。各端面トリガ部２６１，２６２は、前後方向Ｘの中央から横方向Ｙの外側に向かってＶ字状に拡がるように延びる凹状の溝部で構成されている。第１端面トリガ部２６１は、横方向Ｙの中央よりも左側に設けられ、第２端面トリガ部２６２は、横方向Ｙの中央よりも右側に設けられている。第１端面トリガ部２６１と第２端面トリガ部２６２は、それぞれのＶ字の頂点が対向するように配置されている。
【０１１８】
以上の構成により、第１の実施形態と同様に、第１端面部１０が開放されるとともに第２端面部２０が閉じられたままの包装箱２０１を、前後方向Ｘから押圧することで、一対の側面部７，８及び第２端面部２０が外側に張り出しながら折り畳まれるように包装箱２０１を押し潰すことができる。
【０１１９】
このとき、第２端面部２０の外蓋２２は、第１及び第２端面トリガ部２６１，２６２の頂点部分を基点として屈曲変形しやすくなっている。具体的に、外蓋２２は、第１及び第２端面トリガ部２６１，２６２の頂点を通って横方向Ｙに延びる仮想直線に沿って半分に折り畳まれるように、且つ、全体的に高さ方向Ｚの外側に拡がるように変形する。これにより、第２端面部２０は、第１実施形態と同様の態様で折り畳まれるように変形する。
【０１２０】
したがって、第２実施形態においても、第１実施形態と同様の効果を得ることができ、使用済みとなった包装箱２０１をコンパクトに廃棄することができる。
【０１２１】
また、第２実施形態の端面トリガ部２６１，２６２は、横方向Ｙの２点のみに形成されていることから、横方向Ｙの広範囲に亘って端面トリガ部６０（図２参照）が形成された第１実施形態に比べて、使用状態（未開封状態）での第２端面部２０の屈曲変形を抑制しやすくなっている。したがって、第２実施形態によれば、包装箱２０１の使用状態において、より効果的に内容物を保護することができる。
【０１２２】
［第３の実施形態］
図１２を参照しながら、第３の実施形態に係る包装箱３０１について説明する。なお、第３の実施形態において、第１の実施形態と同様の構成及び効果については説明を省略する。また、図１２において、第１の実施形態と同様の機能を有する要素には同符号を付してある。
【０１２３】
図１２に示すように、第３の実施形態に係る包装箱３０１は、第１端面部３１０及び第２端面部３２０の構成を除けば、第１の実施形態に係る包装箱１（図３参照）と同じ構造を有する。第３の実施形態に係る包装箱３０１は、第１端面部３１０及び第２端面部３２０がそれぞれ後述の３枚のフラップで構成されたタックエンドカートンである。
【０１２４】
第１端面部３１０は、横方向Ｙに延びる折り目線Ｆ１１を介して正面部５の上縁に連なる蓋部３１１と、横方向Ｙに延びる折り目線Ｆ１３を介して蓋部３１１の先端に連なる差込片３１２と、第１実施形態と同様の一対のサイドフラップ１３，１４とで構成されている。
【０１２５】
第２端面部３２０は、横方向Ｙに延びる折り目線Ｆ１２を介して正面部５の下縁に連なる蓋部３２１と、横方向Ｙに延びる折り目線Ｆ１４を介して蓋部３２１の先端に連なる差込片３２２と、第１実施形態と同様の一対のサイドフラップ２３，２４とで構成されている。
【０１２６】
第２端面部３２０の前後方向Ｘ中央部において、蓋部３２１には、第１実施形態と同様の端面トリガ部６０が設けられている。
【０１２７】
第１端面部３１０及び第２端面部３２０は、前述の差込片３１２及び３２２が周壁部４の内側に差し込まれることで閉じられる。このとき、各差込片３１２，３２２は周壁部４の背面部６の内面に接着され、これにより、タックエンドカートン３０１の両端面部３１０，３２０が封止される。
【０１２８】
以上のように構成された第３実施形態の包装箱３０１においても第１実施形態と同様の側面トリガ部４１，４２及び端面トリガ部６０が設けられているため、第１端面部３１０が開放されると共に第２端面部３２０が閉じられたままの包装箱３０１を前後方向Ｘから押圧することで、第１実施形態と同様、一対の側面部７，８及び第２端面部３２０が外側に張り出しながら折り畳まれるように包装箱３０１を押し潰すことができる。これにより、第１の実施形態と同様に使用済みとなった包装箱３０１をコンパクトに廃棄することができる。
【０１２９】
なお、第３実施形態において、第２端面部３２０の蓋部３２１には、第１実施形態と同様の端面トリガ部６０に代えて、第２実施形態と同様の端面トリガ部２６１，２６２が設けられてもよく、これにより、第２実施形態と同様の効果を得ることができる。
【０１３０】
また、第３実施形態において、第２端面部３２０の蓋部３２１は、正面部５の下縁に連なるように設けられているが、背面部６の下縁に連なるように設けられてもよい。
【０１３１】
以上、上述の実施形態を挙げて本発明を説明したが、本発明は上述の実施形態に限定されるものではない。
【０１３２】
上述の実施形態では、第１側面部及び第２側面部に側面トリガ部が２つずつ設けられる場合を説明したが、側面トリガ部は１つ又は３つ以上設けられてもよい。
【０１３３】
また、上述の実施形態では、第１側面部及び第２側面部に屈曲抑制部を設ける場合を説明したが、本発明では、屈曲抑制部を省略することも可能である。この場合、各側面部において、第１側面トリガ部及び第２側面トリガ部が高さ方向Ｚにおいてある程度の間隔を空けて配置されることで、包装箱の使用状態における側面部の屈曲変形を効果的に抑制でき、これにより、内容物の効果的な保護を図ることが可能である。
【産業上の利用可能性】
【０１３４】
以上のように、本発明によれば、使用状態での変形を抑制しつつ、簡単且つコンパクトに廃棄できる包装箱を提供することが可能となるため、医薬品及び食品を含む種々の物品を封入する包装箱に好適に利用される可能性がある。
【符号の説明】
【０１３５】
１，２０１，３０１    包装箱
２                    ブランクシート
４                    周壁部
５                    正面部
５ａ                  被押圧部
６                    背面部
７                    第１側面部
８                    第２側面部
９                    固定面部
１０，３１０          第１端面部
１１                  内蓋
１２                  外蓋
１３，１４            サイドフラップ
２０，３２０          第２端面部
２１                  内蓋
２２                  外蓋
２３，２４            サイドフラップ
３０                  切取線
４１                  第１側面トリガ部
４２                  第２側面トリガ部
４４，４５            屈曲抑制部
５０                  屈曲促進部
６０                  端面トリガ部
６２，６４，６６      切り込み
２６１                第１端面トリガ部
２６２                第２端面トリガ部
３１１，３２１        蓋部
３１２，３２２        差込片
Ｆ１〜Ｆ１４          折り目線
Ｘ                    前後方向（第１方向）
Ｙ                    横方向（第２方向）
Ｚ                    高さ方向（第３方向）